(57)【要約】      （修正有）【課題】効率的な二段階ページング無線通信システムのための方法及び装置を提供する。【解決手段】無線端末はページング群に割当てられる。二、三の第一ページング・メッセージ情報ビットは（非同期変調を使用して）第一ページング信号に変調され、基地局から無線端末へ通信される。ＷＴは立上がり、第一ページング信号を受取り、そしてそのページング群が第二ページング信号を待つべきかどうかを確かめ、もしそうであれば、ＷＴは第二ページング信号を受取るように作動される、そうでなければ、電力を保存する休眠状態に戻る。基地局は（同期変調を使用して）いくつかの第二メッセージ情報ビットを変調し、および信号をＷＴに伝送する。第一及び第二ページング信号における情報から、ＷＴは呼出されたことを判定し、ページング命令を処理することができる。目的の呼出されたＷＴは受信通知信号を専用上り回線資源上で伝送することができる。【選択図】図４
2011045108.tif 000002
【特許請求の範囲】
【請求項１】
多数の無線端末を含む通信システムにおいて無線端末をページングする方法であって、
第一変調形式を用いて、第一ページング信号を生成するために第一の情報ビット数を変調することであって、前記第一ページング信号は前記第一の情報ビット数を搬送し、前記第一ページング信号はページング・メッセージがあるかどうかを示す情報を含み、
第二変調形式を用いて、第二ページング信号を生成するために第二の情報ビット数を変調することであって、前記第二変調形式は前記第一変調形式とは異なり、ページングメッセージがあることを前記第一ページング信号が示すとき、前記第二ページング信号が前記ページング・メッセージの少なくとも一部を含み、
前記第一ページング信号を伝送すること、及び
前記第二ページング信号を伝送することを含む方法。
【請求項２】
前記第一及び第二の情報ビット数は異なり、前記第二の情報ビット数は前記第一の情報ビット数より大きい、請求項１記載の方法。
【請求項３】
前記第一ページング信号は継続期間が４シンボル時間より少ない時間期間に伝送され、前記第二ページング信号は前記第一ページング信号の伝送の完了後少なくとも２シンボル時間伝送され、そしてシンボル時間はシンボルを伝送するために使用される時間期間に対応する、請求項２記載の方法。
【請求項４】
前記第一の情報ビット数は１である、請求項１記載の方法。
【請求項５】
前記第一ページング信号は、多数の無線端末を含む無線端末群に少なくとも一つの無線端末に関するページング・メッセージがあるかどうかを示す、請求項１記載の方法。
【請求項６】
前記第二変調形式は、前記第二変調形式によって変調された情報を復調するために通信チャネル情報の使用を必要とする、請求項５記載の方法。
【請求項７】
前記第一及び第二ページング信号を伝送する前記ステップを定期的に繰返すことをさらに含む、請求項６記載の方法。
【請求項８】
前記第一ページング信号は、無線端末群に少なくとも一つの無線端末に関するページング・メッセージがあるかどうかを示し、そして前記無線端末群は複数の無線端末群の一つであり、前記複数の無線端末のいくつかは複数の無線端末を含むマルチキャスト群である、請求項１記載の方法。
【請求項９】
前記第一変調形式は非同期変調である、請求項１記載の方法。
【請求項１０】
前記第二変調形式は同期変調である、請求項１記載の方法。
【請求項１１】
前記非同期変調形式はオン／オフ変調、直交変調、及び差分変調の一つである、請求項９記載の方法。
【請求項１２】
前記第二変調形式は直角位相偏移キーイング変調及び直角振幅変調の一つである、請求項１０記載の方法。
【請求項１３】
前記第一及び第二ページング情報信号は異なる時点で伝送され、前記第二ページング情報信号は前記第一ページング情報信号が伝送される時間からオフセットされた第一の固定時間に伝送される、請求項１記載の方法。
【請求項１４】
前記第二ページング情報信号は前記システムにおける無線端末を識別するために使用される情報を含む、請求項１３記載の方法。
【請求項１５】
前記第二ページング信号は一群の無線端末内の無線端末を一意的に識別するのに十分な情報を含む、請求項１４記載の方法。
【請求項１６】
前記第一信号は第一群の無線端末の任意の無線端末に関するページング・メッセージが全くないが、第二群の無線端末の少なくとも一つの無線端末に関するページング・メッセージがあることを示す、請求項１記載の方法。
【請求項１７】
前記システムはある時点に前記システムにおいて呼出し（pages）を受取るために登録できる最大数の無線端末に対応し、そして
第一のビット数は前記最大数の無線端末の各々を一意的に識別するために必要とされるビット数より少ない、請求項１記載の方法。
【請求項１８】
前記第二ページング・メッセージに含まれる情報と組合せて、前記第一ページング・メッセージに含まれる情報は、前記システムにおける無線端末を一意的に識別する、請求項１記載の方法。
【請求項１９】
前記第一ページング信号を伝送することは前記第一ページング信号を通信チャネルに伝送することを含み、そして
前記第一変調形式は前記変調情報を復調するために使用される通信チャネル情報を必要としない変調形式である、請求項１記載の方法。  
【請求項２０】
前記第一ページング信号は一群の通信デバイスを示し、前記第二ページング信号は、ページング・メッセージが向けられる通信デバイス群における特定ページング・デバイスを示す、請求項１記載の方法。
【請求項２１】
無線端末と通信するための基地局であって、
非同期変調方法を用いて第一形式のページング信号を定期的に生成するための第一ページング信号形式生成手段であって、前記第一形式のページング信号はページング・メッセージが一群の無線端末の少なくとも一つの無線端末に伝送られるかどうかを示す手段と、
同期変調方法を用いて第二形式のページング信号を生成する手段であって、前記第二形式のページング信号がページング・メッセージの少なくとも一部を含む手段と、及び
前記第一及び第二形式ページング信号を伝送するための手段とを具備する基地局。
【請求項２２】
前記第一ページング信号形式生成手段は第一形式のページング信号を生成し、前記第一形式ページング信号は第一の情報ビット数を含み、そして
前記第二ページング信号形式生成手段は第二形式のページング信号を生成し、前記第二形式ページング信号は第二の情報ビット数を含み、前記第二の情報ビット数は前記第一の情報ビット数より大きい、請求項２１記載の基地局。
【請求項２３】
前記第一ページング信号形式生成手段は、
オン／オフ変調、直交変調、及び差分変調の一つを使用して情報ビットを変調するための第一変調モジュールを具備する、請求項２２記載の基地局。
【請求項２４】
前記第二ページング信号形式生成手段は、
直角位相偏移キーイング変調及び直角振幅変調の一つを使用して情報ビットを変調するための第二変調モジュールを具備する、請求項２２記載の基地局。
【請求項２５】
無線端末を動作させる方法であって、
第一ページング信号を受信するために休眠動作モードから立上がること、
復調情報を造出するために前記第一ページング信号に非同期復調動作を行うこと、
ページング・メッセージが伝送されたことを前記復調情報が示すかどうかを判定すること、及び
ページング・メッセージが伝送されたことを前記復調情報が示すことが判定されれば、第二ページング信号に同期復調動作を行うことを含む方法。
【請求項２６】
ページング・メッセージが伝送されなかったことを前記復調情報が示すことが判定されれば、休眠動作モードに戻ることをさらに含む、請求項２５記載の方法。
【請求項２７】
ページング・メッセージが伝送されたことを前記復調情報が示すことが判定されれば、前記同期復調動作を行う前にチャネル推定動作を行うことをさらに含む、請求項２５記載の方法。
【請求項２８】
前記第一ページング信号は４シンボル時間より少ない継続時間を有し、シンボル時間はシンボルを伝送するために使用される時間の大きさであり、
前記第二ページング信号は少なくとも１０シンボルの継続時間を有し、そして
前記第二ページング信号を受取る前に前記チャネル推定動作が開始される、請求項２７記載の方法。
【請求項２９】
前記第二ページング信号を受取る前に前記休眠動作モードへ戻ること、
前記第二ページング信号を受取る前の別の時間に休眠動作モードから立上がること、
前記第二ページングを受取る前にチャネル推定動作を開始することをさらに含み、
前記休眠動作モードから立上げられる際に発生する稼働動作モードにおいて動作するときより前記休眠動作モードにおいては少ない電力を前記無線端末は消費する、請求項２５記載の方法。
【請求項３０】
前記非同期復調動作はチャネル情報を使わず、そして前記同期復調動作は前記復調動作を行うために通信チャネル推定値を使用する、請求項２５記載の方法。
【請求項３１】
前記第一ページング信号は第一のビット数を含み、そして前記第二ページング信号は前記第一のビット数より大きい第二のビット数を含む、請求項２５記載の方法。
【請求項３２】
前記第二ページング信号を復調して得られた情報は無線端末識別子の少なくとも一部を含み、前記方法はさらに、
前記ページが前記無線端末に向けられたかどうかを無線端末識別子の前記少なくとも一部から判断することを含む、請求項３１記載の方法。
【請求項３３】
前記第一ページング信号を復調することによって得られた無線端末群識別情報と組合わせて、無線端末識別子の前記少なくとも一部は、前記無線端末が位置し、前記ページング・メッセージが伝送される通信システムにおいて、どちらかの無線端末を一意的に識別する唯一の無線端末識別子を提供する、請求項３２記載の方法。
【請求項３４】
前記第二ページング信号を復調することによって得られた前記復調情報は前記ページング・メッセージの少なくとも一部を含む、請求項３３記載の方法。
【請求項３５】
第一ページング信号に対応するページング・メッセージが伝送されるかどうかを示す変調情報を再生するために、第一ページング信号に非同期復調動作を行うための手段と、
第一ページング信号に対応するページング・メッセージが伝送されるであろうことを、前記第一ページング信号から再生された情報が示すとき、事前選択時間に第二形式の第二ページング信号を受取るように無線端末を制御し、および休眠動作モードに入り、第一ページング信号に対応するページング・メッセージが伝送されないであろうことを、前記第一ページング信号から再生された前記情報が示す前記事前選択時間の後まで、前記休眠動作モードに留まるように無線端末を制御するための制御手段と、及び
ページング・メッセージの少なくとも一部を含む変調情報を再生するために受信第二ページング信号に同期復調動作を行うための手段とを具備する無線端末。
【請求項３６】
ページング・メッセージが伝送されるであろうことを示す情報を含む第一ページング信号の受取りに続いて、および前記第二ページング信号の受取りの前にチャネル推定動作を行うための手段をさらに具備する、請求項３５記載の無線端末。
【請求項３７】
ページング・メッセージが伝送されるであろうことを示す情報を含む第一ページング信号の受取りに続いて、休眠動作モードに入るように前記無線端末を制御し、および前記事前選択時間の前にさらなる稼働状態に前記無線端末を立上げるためのタイミング制御手段をさらに具備する、請求項３６記載の無線端末。
【請求項３８】
前記第二ページング信号を復調することによって得られた前記情報が、前記無線端末に対応する識別子を含むかどうかを判定するための制御論理、及び
前記情報が前記無線端末に対応する識別子を含むことが判定されたとき、前記第二ページング信号を復調することによって得られた情報に応答して行動を取り、および前記第二ページング信号を復調することによって得られた前記情報が前記無線端末に対応する識別子を含まないことが判定されたとき、休眠動作モードに入るように前記無線端末を制御するための制御手段を具備する、請求項３７記載の無線端末。
【請求項３９】
ページング・メッセージが伝送されたかどうかを示す変調情報を再生するために、第一ページング信号に非同期復調動作を行う手段はオン／オフ変調復調器、直交変調復調器、及び差分変調復調器の少なくとも一つを含む、請求項３５記載の無線端末。
【請求項４０】
第二ページング信号に対する同期復調動作を行う手段は、直角位相偏移キーイング変調復調器及び直角振幅変調復調器の少なくとも一つを含む、請求項３５記載の無線端末。
【発明の詳細な説明】
【技術分野】
【０００１】
本発明は一般に無線通信システムにおけるページングに関係し、特に効率的な二段階ページングの改良された方法及び装置に関係する。
【背景技術】
【０００２】
無線通信システムにおいて、休眠状態及びページングの概念は電池電力に効率的な方法及び空中回線資源に効率的な方法で大集団の無線デバイス、例えば、無線端末へのネットワーク接続性を提供するために重要である。無線端末は様々な移動体デバイスとして提供される。
【０００３】
休眠状態は端末の送信／受信回路の全体または一部の電源を落とすことによって電池電力消費を最小にする動作モードを無線端末に提供する。その上、いくつかのシステムでは、休眠状態の無線端末は専用空中回線を割当てられず、したがって多数のユーザに同時に対応することができる。無線端末がトラヒック稼働していない時間期間には、無線端末は休眠状態にあり、このように資源を維持することができる。
【０００４】
ページングは休眠状態から定期的に無線端末を立上げ、そして下り回線、例えば、基地局から無線端末への通信において、ページング・メッセージ（送られたならば）を受取り、および処理するために無線端末を作動させることを含む。基地局は無線端末が立上がる時を大抵は知っている。このように、基地局が無線端末に連絡、或いは呼出し（page）をしようとすれば、無線端末が立上がり、チャネルを監視する時に基地局は下り回線ページング（ＤＬＰＧ）チャネルにおいてページング・メッセージに送ることができる。無線端末がＤＬＰＧチャネルにおいてそのメッセージを全く受取らなければ、無線端末は休眠状態に戻る。そうでない場合は、無線端末はページング・メッセージにおいて指定されたあらゆる動作を実行するであろう。例えば、無線端末はメッセージをただ受取るだけで、もとの休眠状態へ戻る。代りに、無線端末は基地局との稼働接続を確立するために基地局にアクセスする。
【０００５】
二つの連続する立上がり期間の間の時間間隔はページング・サイクルと呼ばれる。無線端末が休眠状態において動作できる呼出しを受取ることに関する処理を無線端末がしていないとき、それはページング・サイクルの部分の期間にある。休眠状態の恩恵を最大にするために、周知のページング・システムは一般にページング・サイクルに対して大きな値を使用する。例えば、音声システム、例えばＩＳ-９５では、代表的なページング・サイクルは約１〜３秒である。データ・システムでは、ページング・サイクルはさらに大きいかもしれない。例えば、１×ＥＶ ＤＯでは、代表的なページング・サイクルは約５秒である。周知のシステムでは、無線端末が立上がったとき、ＤＬＰＧチャネルを受取るために、無線端末は受信機を下り回線信号と同期させ、そして下り回線チャネルについてチャネル推定を準備するといった或る物理層動作を実行することを通常必要とする。その上、ＤＬＰＧチャネル伝送は一般に比較的長い期間を占有し、そして一般的に識別情報と同様に短い説明メッセージを含む。例えば、ＩＳ-９５システムにおけるページング・メッセージ伝送は８０ミリ秒を占有する。従って、無線端末が立上がったとき、それは一般に呼出が受取られる各期間の間に十分な電力で、例えば、８０ミリ秒以上動作するデバイスによって必要な動作を完了するために電池電力量をすっかり消費する。この周知のページング方法はページング期間に比較的長い継続時間を持ち、およびかなりの遅延量、例えば、数秒に対応できる音声チャネルのような従来の通信サービスに関する終端間設定を確立するのに適している。
【０００６】
しかしながら、大きなページング・サイクル（それは電力を保存する）は大きなページング待ち時間を招き、即時通話（push-to-talk）のような様々な緊急サービスに適当ではない。これらの緊急サービスはユーザに迅速な応答感覚を与えるために非常に少ないページング待ち時間、例えば、多分１秒以下のサイクルを必要とする。例えば、即時通話システムでは、呼出設定時間を最小にするために、所望のページング・サイクルは約１００ミリ秒であり、それは多数の周知のページング・システムが対応できるものよりはるかに短い。注意すべきは、ＩＳ-９５に使用されるような周知のページング・システムによって、これらのシステムがそのような要求を満たすために大幅にページング・サイクルを簡単に減少させ得ることはありそうもないことである。これはチャネル推定処理にいくぶん起因する周知のページング・システムにおける各立上がり期間に必要な大きな電池電力消費量のためである。そのようなシステムにおいて、小さなページング・サイクルが使用されたならば、頻繁な立上がり動作のために消費される電力量はユーザが非常に頻繁にデバイスの電池を再充電しなければならないことになり、それは実用的ではない。従って、これらの新しい緊急サービスの低ページング待ち時間要求を満たすことができる効率的なページング・システムの必要性がある。低ページング待ち時間が現存デバイスに比べて全体の電池電力消費率を著しく増加させずに達成されるならば、それは非常に望ましいであろう。
【０００７】
前述の議論に基づいて、即時通話といった新しい緊急サービスの低ページング待ち時間要求を満たし、および／または現存サービスによる電池電力消費率を減少させるために無線通信システムのページング効率を増加するページングの改善方法が必要とされることは明らかである。無線端末の電池電力消費を減少させ、ページング試行失敗の反復呼出の機会を促進し、および／または信号通信によるシステム妨害を制限する新しいページング方法は有益であろう。新しい緊急サービスの要求を満たすために開発されたページング改善はまた総合効率を増加させ、および資源を保存するため現存の従来サービス・システム・アプリケーションにおいても有益に使用され、そして低待ち時間ページングを必要とする、あるいは使用するアプリケーションに限定される必要はない。
【図面の簡単な説明】
【０００８】
【図１】本発明のページング方法を使用する典型的な無線通信システムを例示する。
【図２】本発明に従って実施される典型的な基地局を例示する。
【図３】本発明に従って実施される典型的な無線端末を例示する。
【図４】本発明に従って典型的な下り回線の第一及び第二のページング信号を例示する。
【図５】本発明に従って運ばれる情報を例示する典型的な下り回線の第一及び第二のページング信号を例示する。
【図６】本発明に従って８個のページング群を使用する典型的な実施例における下り回線の二段階ページング信号通信を例示する。
【図７】本発明に従って８個のページング群を使用する典型的な別の実施例における下り回線の二段階ページング信号通信を例示する。
【図８】本発明に従って４個のページング群を使用する典型的な別の実施例における下り回線の二段階ページング信号通信を例示する。
【図９】本発明に従って図８の下り回線の二段階ページング信号通信、受信通知（acknowledgement）上り回線信号通信、及び信号通信間のタイミング関係を例示する。
【図１０】本発明に従って第一ページング信号について使用される典型的なオン／オフ非同期（non-coherent）変調手法を例示する。
【図１１】本発明に従って第一ページング信号について使用される（オン／オフ・キーイング及び直交位相変調を用いる）典型的な別のオン／オフ非同期変調手法を例示する。
【図１２】本発明に従って基地局を動作させ、そしてページング信号を生成する典型的な方法を例示する。
【図１３】本発明に従ってページング信号を受信し、および処理するために無線端末を動作させる典型的な方法を例示する。
【発明の概要】
【０００９】
本発明はページング方法及び装置に関する。本発明の方法及び装置は周知のページング技術に比べて無線端末、例えば、移動体デバイスのページングと関連する電力消費要求を減少させるために使用することができる。
【００１０】
本発明に従って、呼出しは多数の信号を利用して送られる。第一ページング信号は、例えば、特定の無線端末または一群の無線端末にページング・メッセージが送られつつあるかどうかを示すために使用される。ページング・メッセージが送られつつあることを第一ページング信号が示すとき、少なくとも一つの追加ページング信号、例えば、第二ページング信号が送られる。大抵の場合、第二ページング信号は、第一のページング信号からオフセットされた一定の時間に、第一ページング信号に続いて送られる。
【００１１】
様々な実施例において、チャネル推定動作を行わなくても、呼出しが無線端末、或いは特定の無線端末が属する群中のデバイスに伝送されつつあるかどうかを無線端末が判定することを可能にするために、第一ページング信号は復号化のためのチャネル推定情報を必要としない変調形式を用いて伝送される。第二ページング・メッセージは第一変調形式とは異なる変調形式、例えば、復調処理にチャネル推定を用いる変調方法を使用して通常伝送される。
【００１２】
いくつかの実施例では、第一ページング信号は、オン／オフ変調、直交変調、及び差分変調といった非同期形式の変調を用いて伝送される。そのような実施例では、第二ページング信号は同期変調（coherent modulation）を用いて伝送される。同期変調の例は直角位相偏移キーイング変調及び直角振幅変調を含む。本開示の非同期変調技術は変調信号の復号化のためにチャネル情報を必要としない。従って、非同期変調信号は復号化処理においてチャネル情報を獲得し、および／または使用することに時間を割かなくても迅速に復号することが通常できる。同期変調技術は変調信号の復号化のためにチャネル情報を使用する。従って、非同期変調技術より高い符号化率に大抵対応すると同時に、同期変調はデバイスが同期変調信号を確実に復号する前に正確なチャネル推定及び／または他のチャネル情報を獲得する時間を費やすデバイスを必要とする。
【００１３】
いくつかの、しかし必ずしも全ての実施例ではないが、第一ページング信号は第二ページング信号ほど情報ビットを含まない。第一ページング信号は所定の、例えば、定期的な時間に伝送され、特定の無線端末、または無線端末の群に対する既知の関係を有する。このようにして、所定時間に立上がることによって、移動体端末（mobile）は第一ページング信号を受信し、復号することができる。ページング・メッセージが、例えば、第二ページング信号において或いは多数の追加チャネル情報を用いて伝送されたことを第一ページング信号が示すならば、移動体デバイスは立上がり状態のまま、ページング・メッセージの全てまたは一部を含む第二のページング信号を符号化するために使用できる必要なチャネル情報を生成する。
【００１４】
第一ページング信号が一群の無線端末における少なくとも一つのデバイスに対するページの伝送を示す場合には、第二ページング信号は単独で、もしくは第一ページング信号における情報と組合わせて、第一ページング信号が対応し、伝送ページング・メッセージが提供される群内のいずれかの特定の無線端末を決定するに十分な情報を含む。いくつかの実施例では、第二のページング信号は特定の第二ページング信号が伝送されるセクター、セルまたはシステムを持つ無線端末を識別するために使用される無線端末識別子（identifier）の全てまたは一部を含む。
【００１５】
ページング信号、例えば、第一及び第二ページング信号は定期的に、例えば、一定の既知の所定スケジュールに従って伝送される。ページング・メッセージが伝送されていないことを特定の第一ページング信号が示す場合には、特定の第一ページング信号と関連する第二ページング信号伝送スロットは未使用の状態になる。
【００１６】
同期変調方法によって変調された一以上のページング信号は非同期変調方法を用いて変調された第一のページング信号と関連する。そのような実施例は多数の無線端末、例えば、一群の端末が特定の第一ページング信号と関連している実施に適している。
【００１７】
いろいろな実施例はいろいろな形式のページング・サイクル及び／またはページング間隔を有する。
【００１８】
本発明の方法及び装置はＣＤＭＡ及びＯＦＤＭシステムを含む多数の異なる形式の通信システムと共に使用することができる。
【００１９】
本発明の方法及び装置の多くのさらなる特徴、利点及び実施例は後述する詳細な説明において述べられる。
【発明の詳細な説明】
【００２０】
図１は本発明に従って実行される典型的な無線通信システム１００を例示する。典型的な無線通信システム１００はスペクトル拡散ＯＦＤＭ（直交周波数分割多重）多元接続システムである。典型的なＯＦＤＭ無線通信システムは本発明を説明する目的でこのアプリケーションに使われているが、本発明はその例より範囲が更に広く、および本発明は多くの他の通信システム、例えば、ＣＤＭＡ無線通信システムにおいて適用することができ、同時にページングが使われる。
【００２１】
システム１００は複数のセル（セル１ １０２、セルＭ １０４）を含む。各セル（セル１ １０２、セルＭ １０４）は基地局（ＢＳ）（ＢＳ１ １０６、ＢＳ M １０８）をそれぞれ含み、基地局の無線通信区域（wireless coverage area）を表す。ＢＳ１ １０６は無線回線（１１４、１１６）を介して複数の終端ノード（ＥＮ（１）１１０、ＥＮ（Ｘ）１１２）とそれぞれ連結される。ＢＳ M １０８は無線回線（１２２、１２４）を介して複数の終端ノード（ＥＮ（１'）１２２、ＥＮ（Ｘ'）１２４）とそれぞれ連結される。終端ノード１１０、１１２、１１８、１２０は移動体及び／または定置無線通信デバイスであり、無線端末（ＷＴ）と呼ばれる。移動体ＷＴはしばしば移動体ノード（ＭＮ）と呼ばれる。ＭＮはシステム１００の至る所を移動する。ＢＳ１ １０６及びＢＳ M １０８はネットワーク回線１２８、１３０を介してネットワーク・ノード１２６とそれぞれ連結される。ネットワーク・ノード１２６はネットワーク回線１３２を介して他のネットワーク・ノード及びインターネットと連結される。ネットワーク回線１２８、１３０、１３２は、例えば、光ファイバ・ケーブルである。
【００２２】
本発明のページング方法は典型的なＯＦＤＭ無線通信システム１００で使用される。個々の基地局（例えば、ＢＳ１ １０６）は本発明に従ってＢＳが位置しているセル（例えば、セル１ １０２）内のＥＮ（例えば、ＥＮ（１）１１０）へ、例えば、非同期変調を用いて第一ページング信号を、そして同期変調を用いて第二ページング信号を含むページング信号情報を伝送する。ＥＮ（例えば、ＥＮ（１）１１０）は本発明の方法に従ってページング情報を受取り、例えば、一以上の受信通知信号を送ることによって応答する。
【００２３】
図２は本発明に従って実施される典型的な基地局２００を例示する。ＢＳ ２００は図１に示されたシステム１００のＢＳ １０６、１０８のうちの一つとして使用されるＢＳ ２００のさらに詳細な表示である。典型的なＢＳ ２００は様々な要素がデータ及び情報を交換するバス２１２を介して共に連結された受信機２０２、送信機２０４、プロセッサ２０６、Ｉ／Ｏインタフェース２０８、及びメモリ２１０を含む。送信機２０４は第一変調モジュール２２０及び第二変調モジュール２２２を含む。受信機２０２はＢＳ ２００が無線端末３００から信号を受信するアンテナ２１４に連結される（図３参照）。受信信号は、例えば、ページング・メッセージに応答してＷＴによって伝送される受信通知メッセージ信号を含む。送信機２０４はＢＳ ２００がページング・メッセージ信号を含む情報を複数のＷＴ ３００に送るアンテナ２１８に連結される。Ｉ／Ｏインタフェース２０８はＢＳ ２００からインターネット及び他のネットワーク・ノードへのインタフェースを提供する。
【００２４】
メモリ２１０はルーチン２２４及びデータ／情報２２６を含む。プロセッサ２０６、例えば、ＣＰＵはルーチン２２４を実行して、ＢＳ ２００を制御し、およびルーチンの基地局動作、例えば、ユーザに対する空中回線資源の予定計画、下り回線トラヒック・チャネル・トーン・ホッピング系列の制御、下り回線トラヒック・チャネルの送信機２０４電力制御、等々を実行し、そして本発明のページング方法を実施するためにメモリ２１０内のデータ／情報２２６を使用する。ルーチン２２４は通信ルーチン２２８及び基地局制御ルーチン２３０を含む。基地局制御ルーチン２３０はスケジューラ・モジュール２３２、信号通信ルーチン２３４、及びタイミング・モジュール２３６を含む。信号通信ルーチン２３４は第一ページング信号モジュール２３８、第二ページング信号モジュール２４０、及び受信通知信号モジュール２４２を含む。
【００２５】
データ／情報２２６はデータ２４４、第一ページング信号システム情報２４６、第二ページング信号システム情報２４８、ページング要求２５０、第一ページング信号メッセージ２５２、第二ページング信号メッセージ２５４、受信通知信号メッセージ２５６、ページング信号電力情報２５８、及び無線端末データ／情報２６０を含む。データ２４４はＷＴ ３００に伝送され、および／またはＷＴ ３００から受信されるデータ（例えばピア・ノードによる通信セッションからのユーザ・データ）を含む。
【００２６】
無線端末（ＷＴ）データ／情報２６０は複数の無線端末１・・・ＮのＷＴデータ／情報、例えば、ＷＴ １情報２８２、ＷＴ Ｎ情報２８４を含む。ＷＴ １情報２８２はデータ２８６、端末識別（ＩＤ）情報２８８、インターネット・プロトコル（ＩＰ）アドレス情報２９０、ページング情報２９２及びモード情報２９４を含む。データ２５２はＷＴ １に送られる目的でＢＳ ２００によって受取られるデータ及びＷＴ １のピア・ノード、例えば、ＷＴ Ｎ向けのＷＴ １から受取られたデータを含む。端末ＩＤ情報２８８はＷＴ １の基地局割当ＩＤである。ＩＰアドレス情報２９０はＷＴ １ ３００に固有の識別子であり、基地局に無関係である。ページング情報２９２は第一ページング信号情報２９６、第二ページング信号情報２９８、及びページング受信通知情報２９９を含む。第一ページング信号情報２９６はＷＴ １向けの第一ページング信号メッセージ２５２を定義し、および／またはそこに含まれる情報を含み、ＷＴ １が構成員（member）である群に対応する群ＩＤを含む。第二ページング信号情報２９８はＷＴ １を一意的に識別する情報、ＷＴ １に関する第二ページング・メッセージを伝送する時についてのタイミング情報、伝送の電力レベル及び呼出の形式といった追加ページング情報を含めてＷＴ １向けの第二ページング信号メッセージ２５４を定義し、および／またはそこに含まれる情報を含む。ページング受信通知情報２９９はＢＳ ２００から送られた第二ページング信号メッセージ２５４に応答してＷＴ １からの受信通知メッセージ２５６が受取られたかどうかを示す情報を含む。モード情報２９４はＷＴ １の状態（例えば、ＯＮ状態、休眠状態、等々）を指定する。
【００２７】
第一ページング信号システム情報２４６はトーン情報２６２、変調情報２６４、第一ページング情報ビット２６６、ＷＴ関連情報２６８、及びタイミング情報２７０を含む。トーン情報２６２は第一ページング信号において使用されるトーンを定義する。トーン情報２６２はまたトーンの部分集合を定義する。いくつかの実施例において、各トーン部分集合は連続する物理的トーンを含み、第一ページング信号はトーンの一つの部分集合に印加される伝送電力によって伝送され、一方トーンの他の部分集合には伝送電力は印加されない。二、三のトーンを含む連続するトーンの部分集合を使用することによって、チャネルがトーンの部分集合間でさほど多く変化しないと仮定すれば、非同期変調が使用されるいくつかの場合にはチャネル推定を行わずにトーンのデータを再生することが可能である。変調情報２６４は本発明に従って第一ページング信号メッセージ２５２の情報を変調し、第一ページング信号を伝送するため選択された非同期変調手法を実施する第一変調モジュール２２０の動作を制御する第一ページング信号モジュール２３８によって使用される情報を含む。典型的な非同期変調手法はオン／オフ変調、直交変調、及び差分変調を含む。非同期変調手法は符号語（code words）を使用し、使用される非同期変調方法によって振幅情報と同様に位相情報を利用する。第一ページング情報ビット２６６は第一ページング信号メッセージ２５２の中に情報ビットを含む。第一ページング情報ビット２６６は群識別（ＩＤ）ビット及び拡張ビットを含む。群ＩＤビットはどちらの特定の群が第一ページング信号メッセージ２５２によって呼出されつつあるメンバーを、もしあれば、持つかを伝達するために変調される第一ページング信号メッセージ２５２中にいくつかのビットを含む。拡張ビットは呼出しを持つ群内のＷＴが異なる群に通常関連する時間に、第二ページング信号メッセージ２５４を探すべきことを示すために、第一ページング信号メッセージ２５２に設定されるビットを含む。拡張ビットは一つの群内の多数のＷＴが同時に呼出される必要があるところで使用され、所定の時間に通常使用される第二ページング信号メッセージ２５４は情報を伝えるのに十分な能力を持っていない。ＷＴ関連情報２６８はＢＳ ２００が呼出しを受取る各個々のＷＴ（固有のＩＰアドレス２９０を持つＷＴ）と群ＩＤビットによって識別された群とを関連づけることを可能にする情報を含む。タイミング情報２７０は第一ページング信号メッセージ２５２をＷＴへ伝送するときを定義する情報を含む。例えば、タイミング情報２７０は第一ページング・メッセージ信号伝送のためのスーパー・スロット内の特定のＯＦＤＭシンボル期間、ページング間隔セグメント（例えば、連続する第一ページング信号間の繰返し間隔）、ページング間隔（例えば、ページング群の二つの連続する立上がり期間の間の繰返し間隔）、及び／または第一ページング信号の伝送タイミング制御のために使用されるビーコン・スロットを定義する。各立上がり期間におけるＷＴの電池電力消費は非常に少ないので、本発明において、ページング・システムはＷＴの全体の電池電力消費を低く保ちながらページング待ち時間を減少させるために比較的小さ���ページング・サイクル、例えば、約１００ミリ秒を採用することができる。
【００２８】
第二ページング信号システム情報２４８はトーン情報２７２、変調情報２７４、第二ページング情報ビット２７６、ＷＴ識別情報２７８、及びタイミング情報２８０を含む。トーン情報２７２は第二ページング・メッセージの伝送のために使用されるために定義された一組のトーンを含む。いくつかの実施例では、使用されるトーンはホッピング系列に続く。変調情報２７４は第二ページング・メッセージ２５４のページング情報ビット２７６を第二ページング信号に変調する第二変調モジュール２２２の動作を制御する第二ページング信号モジュール２４０によって使用される同期変調手法（例えば、直角位相偏移キーイング（ＱＰＳＫ）または直角振幅変調（ＱＡＭ））において使用される情報を含む。第二ページング情報ビット２７６はページング識別のために使用されるビット、及び特定のページング命令（paging instructions）を呼出されたＷＴ ３００に提供する情報といった追加情報を伝えるために使用されるビットを含む。第二ページング・メッセージによって伝達される命令の例はオン状態への移行、受信タイミング制御情報、送信タイミング制御情報、送信電力制御情報、送信状態情報、等々を含む。発明に従って、第二ページング情報ビット２７６は第一ページング情報ビット２６６より大きいビット数を含む。ＷＴ識別情報２７８はＷＴ ３００が第二ページング信号メッセージ２５４の目的の特定の受取人であることを識別することを、第二ページング情報を受取るＷＴ ３００に許容する情報を含む。いくつかの実施例では、ＷＴ識別情報２７８はセルによって目的の受取人を一意的に識別するのに十分な完全ＷＴ識別子を含む。いくつかの実施例では、識別情報２７８は完全なＩＰアドレス（例えば、ＷＴ １ ２９０のＩＰアドレス情報）を伝えるのに十分なビットを含む。他の実施例では、第二ページング・メッセージ２５４から確認ビットからの情報が第一ページング信号メッセージ２５２の群識別ビットによって搬送された情報と結合されるとき、第二ページング・メッセージ２５４の目的の受取人の完全なＩＰアドレスが判定されるように、ＷＴ識別情報２７８は部分的識別子を含む。タイミング情報２８０は第二ページング・メッセージをＷＴにいつ伝送すべきかといった情報を含む。例えば、いろいろな群はスーパー・スロット内のいろいろなＯＦＤＭシンボル時間、ページング間隔セグメント、ページング間隔、及び／またはＢＳ ２００が第二ページング・メッセージ２５４を送るべきビーコン・スロットを割当てられる。各群はその第二ページング信号メッセージ２５４信号に関するページング間隔内で二、三の連続したＯＦＤＭシンボル時間を割当てられる。ページング要求２５０はＢＳ ２００によって生成され、システム内の要素、例えば、別の基地局、ＡＡＡ（認証課金及び承認）サーバ、ピア・ノード、等々からＢＳ ２００によって受取られた特定の無線端末へのページの要求を含む。第一ページング信号メッセージ２５２は第一ページング情報ビット２６６を搬送するＷＴ ３００に伝送されるメッセージである。本発明に従って、第一ページング信号メッセージ２５２は第一ページング非同期変調手法を用いて変調される。第二ページング信号メッセージ２５４は第二ページング��報ビット２７６を搬送するＷＴ ３００に伝送されるメッセージで、本発明に従って、そのようなメッセージ２５４は第二ページング同期変調手法を用いて変調される。受信通知メッセージ２５６はＷＴ ３００から受取られるメッセージである。受信通知メッセージ２５６は特定のＷＴ ３００向けの第二ページング信号メッセージ２５４の受信成功に応答して、ＷＴ ３００によってＢＳ ２００へ伝送される。受信通知メッセージ２５６は短いメッセージ（例えば、１または数ビット）で、所定の時間（例えば、第二ページング信号メッセージについてオフセットされた一定の時間)に伝送される。いくつかの実施例では、受信通知メッセージ２５６は次に見込まれる第二ページング信号メッセージについて指定された時間の前にＢＳ ２００によって受取られると予想される。これは、受信通知が受取られず、およびページング期間を飛ばさない場合には、情報による決定に基づく第二ページング・メッセージの再伝送を可能にする。ページング信号電力情報２５８は第一及び第二ページング信号の電力レベルを定義する情報を含む。いくつかの実施例では、第二ページング信号の電力レベルは無応答呼出し試行の数、呼出しの型式、サービスのレベル、及び／またはモード２９４の関数として変化する。例えば、初めて第二ページング信号メッセージ２５４信号がＢＳ ２００によってＷＴ ３００へ送られるとき、電力レベルは低ベルに設定される。受信通知２５６が受取られなければ、電力レベルは増加し、同じ第二ページング信号が第二ページング・メッセージのために用意された時間に同じＷＴ端末に再び送られる。いくつかの実施例では、反復第二ページング・メッセージ２５４は（増加電力レベルで）次の利用可能な第二ページング時間スロットで送られる。他の実施例では、反復第二ページング・メッセージ２５４は（増加電力レベルで）ＷＴ ３００が属する群向けに第二ページング・メッセージ２５４に用意された次のページング間隔の基準時間に送られる。
【００２９】
通信ルーチン２２８は基地局２００によって使用される様々な通信プロトコルを実施する。基地局制御ルーチン２３０は本発明に従って受信機２０２、送信機２０４、ユーザの予定計画、電力制御、タイミング制御、及び信号通信の動作を含む基地局の機能的動作を制御する。基地局制御ルーチン２３０はスケジューラ・モジュール２３２、信号通信ルーチン２３４、及びタイミング・モジュール２３６を含む。基地局のスケジューラ・モジュールは上り回線及び下り回線空中資源（例えば、時間にわたる帯域幅）に関してＷＴ ３００を予定計画する。信号通信ルーチン２３４は（第一ページング信号メッセージ２５２及び第二ページング信号メッセージ２５４を含む）信号をＷＴ ３００に送る送信機２０４の動作を制御し、および（受信通知メッセージ２５６を含む）信号をＷＴ ３００から受取る受信機２０２を動作させるためにデータ／情報２２６を使用する。タイミング・モジュール２３６は第一及び第二ページング・メッセージ２５２、２５４の伝送のタイミングを制御するために第一ページング信号タイミング情報２７０及び第二ページング信号タイミング情報２８０を含むデータ／情報２２６を使用する。第一ページング信号モジュール２３８はページング要求２５０、第一ページング信号システム情報２４６、及び第一ページング信号メッセージ２５２を生成し、第一ページング信号メッセージ２５２の非同期変調を行う第一変調モジュール２２０を制御し、およびＷＴ ３００へ変調信号を伝送する送信機２０４を制御するＷＴデータ／情報２６０を含むデータ／情報２２６を使用する。第二ページング信号モジュール２４０はページング要求２５０、第二ページング信号システム情報２４８、ページング信号電力情報２５８、及び第二ページング信号メッセージ２５４を生成し、第二ページング信号メッセージ２５４の同期変調を行う第二変調モジュール２２２を制御し、およびＷＴ ３００へ変調信号を伝送する送信機２０４を制御するＷＴデータ／情報２６０を含むデータ／情報２２６を使用する。いくつかの実施例では、第二ページング信号モジュール２４０はページング要求２５０によって稼働され、ページング要求が処理されていないとき、第二ページング信号モジュールは稼働されない。受信通知信号モジュール２４２は第二ページング信号メッセージ２５４に応答してＷＴ ３００から受取られた受信通知メッセージ２５６を処理する受信機２０２を制御する。受信通知信号モジュール２４２はページング受信通知メッセージ２５６をＷＴデータ／情報２６０のページング受信通知情報２９９に送り、それは、例えば、第二ページング信号メッセージ２５４の再伝送が、例えば、さらに高い信号電力レベルで必要とされるかどうかを決定するために使用される。
【００３０】
図３は本発明に従って実施される典型的な無線端末（終端ノード）３００を例示する。典型的なＷＴ ３００はシステム１００のＷＴ １１０、１１２、１１８、１２０の一つとしてどれでも使用される。典型的な無線端末３００はアンテナ３１２に連結された受信機３０２、アンテナ３１８に連結された送信機３０４、プロセッサ３０６、及びメモリ３０８を含み、それらは様々な要素がデータ／情報を交換することができるバス３１０を介して共に連結されている。
【００３１】
受信機３０２は本発明に従って第一及び第二ページング信号を含むＢＳ ２００からの下り回線信号を受信する。受信機３０２は第一復調モジュール３１４及び第二復調モジュール３１６を含む。第一復調モジュール３１４は本発明に従って使われる非同期変調手法に従って（ＢＳ ２００から伝送された）第一ページング信号を復調する。第二復調モジュール３１６は本発明に従って使われる同期変調手法に従って（ＢＳ ２００から伝送された）第二ページング信号を復調する。
【００３２】
送信機３０４は上り回線信号をＢＳ ２００に伝送するために使用される。伝送された上り回線信号は（例えば、ＷＴ ３００向けの受信第二ページング信号に対応する各受信通知によって）受信ページング・メッセージに応答して受信通知信号を含む。
【００３３】
メモリ３０８はルーチン３２２及びデータ／情報３２４を含む。プロセッサ３０６、例えば、ＣＰＵはルーチン３２２を実行し、およびルーチンの無線端末動作（例えば、下り回線トラヒック・チャネル情報を受取り、上り回線トラヒック・チャネル情報を伝送し、ＷＴ電力制御動作を実行し、ＷＴタイミング制御動作を行う）を行い、本発明のページング方法を実施するためにメモリ３０８中のデータ／情報３２４を使用する。ルーチン３２２は通信ルーチン３２６と、信号通信ルーチン３３０及びタイミング・モジュール３３２を含む無線端末制御ルーチン３２８とを含む。信号通信ルーチン３３０は第一ページング信号検知モジュール３３４及び第二ページング信号検知モジュール３３６を含む。データ／情報３２４はデータ３３８、第一ページング信号システム情報３４０、第二ページング信号システム情報３４２、受信第一ページング信号メッセージ３４４、受信第二ページング信号メッセージ３４６、ページング受信通知メッセージ３４８、及びＷＴ情報３５０を含むデータ３３８はＢＳ ２００に伝送されるデータ（例えば、ＷＴとの通信セッションにおけるピア・ノード向けのユーザ・データ）、及びＢＳ ２００から受取られたデータを含む。
【００３４】
第一ページング信号システム情報３４０はトーン情報３５２、変調情報３５４、第一ページング情報ビット３５６、ＷＴ関連情報３５８、及びタイミング情報３６０を含む。
【００３５】
トーン情報３５２は受信第一ページング信号メッセージ３４４に対応する信号において使用されるトーンを定義する。トーン情報３５２はまたトーンの部分集合を定義する。いくつかの実施例では、各トーン部分集合は連続する物理トーンを含み、第一ページング信号はトーンの一つの部分集合に印加される伝送電力と共にＢＳ ２００によって伝送され、一方トーンの他の部分集合には伝送電力は印加されない。連続するトーンの部分集合を使っているとき、そのチャネルはトーンの部分集合の間ではあまり多く変化しないという仮定がなされる。そのような場合には、変調手法及びチャネル条件に応じて、ＷＴ ３００はチャネル推定を行わずに受信第一ページング信号メッセージ３４４に含まれる伝送データを再生することが可能である。
【００３６】
変調情報３５４は本発明に従って第一ページング信号を処理し、および受信された第一ページング信号メッセージ３４４の情報を得る、一以上の選択された非同期変調手法を使用する第一復調モジュール３１４の動作を制御する、第一ページング信号検知モジュール３３４によって使用される情報を含む。非同期復調ではＷＴ ３００はチャネル推定を必要とせず、および確立せず、或いは伝送情報を復調し、および再生するためにチャネル条件の履歴に頼らない。典型的な非同期変調手法はオン／オフ変調、直交変調、及び差分変調を含む。実施される非同期変調手法は符号語を使用し、位相情報及び／または振幅情報を利用する。
【００３７】
第一ページング情報ビット３５６は受信第一ページング信号メッセージ中に情報ビットを含む。第一ページ情報ビット３５６は通常一以上の群ＩＤビット及び選択的に拡張ビットを含む。群ＩＤビットはどちらの特定の群が受信第一ページング信号メッセージ３４４によって呼出されつつあるメンバーを、もしあれば、持つかということを示す。群ＩＤビットは群中のＷＴに割当てられた各ＷＴ識別子の開始で使用される前以て選択されたビット数、例えば、群中のＷＴに割当てられたＩＰアドレスの最初のｎビットに対応する一組のマスク・ビットである。従って、そのような実施例において、群ＩＤビットは前以て選択されたビット数で、そこでは群ＩＤビットの各集合はＷＴ識別子の開始において前以て選択されたビット数の唯一の型（pattern）、例えば、一組のマスク・ビットであり、そこでは各マスク・ビットはＷＴのＩＰアドレスの最初のｎビットの（他の群ＩＤビットに関する）唯一の型に対応する。拡張ビットは群中のＷＴ ３００が異なる群と通常関連する時に第二ページング・メッセージを探すべきであることを示すために第一ページング・メッセージに設定されるビットを含む。拡張ビットは一つの群内の多数のＷＴ ３００が同時に呼出される必要があり、および所定の時間に通常使用される第二ページング・メッセージが情報を伝える十分な能力を持たないところで使用される。
【００３８】
ＷＴ関連情報３５８は一組の群ＩＤビットによって識別された群とＷＴ ３００を関連付ける情報を含む。タイミング情報３６０はＢＳ ２００から第一ページング・メッセージを探すときを定義する情報を含む。例えば、いくつかの実施例において、タイミング情報３６０は第一ページング・メッセージ信号伝送のためのスーパー・スロット内の特定のＯＦＤＭシンボル期間、ページング間隔セグメント（或いは、連続する第一ページング信号メッセージ２５２間の繰返し間隔）、ページング間隔（ページング群の二つの連続する立上がり期間の間の繰返し間隔）、及び／または第一ページング信号の伝送タイミング制御のために使用されるビーコン・スロットを定義する。
【００３９】
第二ページング信号システム情報３４２はトーン情報３６２、変調情報３６４、第二ページング情報ビット３６６、ＷＴ識別情報３６８、及びタイミング情報３７０を含む。トーン情報３６２は受信第二ページング信号メッセージ３４６を抜き出すために、受信第二ページング・メッセージ信号を処理するために使用されるように定義された一組のトーンを含む。いくつかの実施例では、トーンはホッピング系列に続く。
【００４０】
変調情報３６４は第二ページング・メッセージ信号を受信第二ページング・メッセージ信号に復調するために使用される同期変調手法、例えば、直角位相偏移キーイング（ＱＰＳＫ）または直角振幅変調において使用される情報を含む。第二ページング信号メッセージ３４６は第二ページング情報ビット３６６を含む。
【００４１】
第二ページング情報ビット３６６はページング識別のために使用されるビット、及び／または呼出されるＷＴ ３００に特定のページング命令を提供する情報、例えば、オン状態への転移、受信タイミング制御情報、送信タイミング制御情報、送信電力制御情報、送信状態情報、等々といった追加情報を供給するために使用されるビットを含む。本発明に従って、第二ページング情報ビット３６６は第一ページング情報ビット３５６より多くのビット数を含む。ＷＴ識別情報３６８はＷＴ ３００が受信第二ページング信号メッセージ３４６の特定の目的の受取人であることを識別するように、第二ページング情報を受取るＷＴ ３００を許容する情報を含む。そのようなＷＴ識別情報３６８はそれが位置するセル内、及び／またはシステム１００内のＷＴを唯一識別する完全な識別子を含む。いくつかの実施例では、識別情報３６８は完全なＩＰアドレスを搬送するために十分なビットを含む。他の実施例では、受信第二ページング・メッセージ３４６から、確認ビットからの情報が受信第一ページング信号メッセージ３４４の群識別ビットによって搬送された情報と結合されるとき、受信第二ページング・メッセージ３４６の目的の受取人の完全な識別子、例えば、ＩＰアドレスが判定されるように、ＷＴ識別情報３６８は部分的識別子を含む。判定されたアドレスは適合のためにＷＴ ３００のＩＰアドレスに対して比較することができ、および通常比較される。
【００４２】
タイミング情報３７０はＢＳ ２００から第二ページング・メッセージ信号をいつ探すかを示す情報を含む。例えば、ＷＴ ３００に対応する群は、それらが第二ページング信号を探し、受信第二ページング信号メッセージ３４６を獲得するページング間隔内の二、三の連続するＯＦＤＭシンボル時間を割当てられる。
【００４３】
受信第一ページング信号メッセージ３４４は、第一ページング情報ビット３５６を搬送する（ＢＳ ２００から伝送された）受信第一ページング信号から得られたメッセージである。受信第一ページング信号メッセージ３４４は、受信第一ページング信号を復調する第一復調モジュール３１４の動作を制御するため第一ページング信号検知モジュールを使用することによってＷＴ ３００により得られる。第一ページング信号の復号は第一ページング信号を変調するために使用される非同期変調手法に従う。
【００４４】
受信第二ページング信号メッセージ３４６は、（ＢＳ ２００から伝送された）受信第二ページング信号を復調する第二復調モジュール３１４の動作を制御するため、第二ページング信号検知モジュールを使用することによってＷＴ ３００により得られる。第二ページング信号は第二ページング信号を変調するために使用される同期変調手法に従って復号される。このように、本発明に従って、第一及び第二ページング信号は復調される。
【００４５】
受信第二ページング信号メッセージは第二ページング情報ビット３６６において第二ページング情報ビットを搬送する。ページング受信通知メッセージ３４８はＷＴ ３００によって生成され、受信通知を生成する特定のＷＴ ３００向けの第二ページング信号メッセージ２５４の受信成功に応答してＢＳ ２００に伝送されるメッセージである。ページング受信通知メッセージ３４８は（例えば、第二ページングに関して）所定の時間に伝送される短いメッセージ（例えば、１または数ビット）であり、伝送される第二ページング・メッセージに対応する専用（予約）空中回線資源（例えば、１トーン・シンボル）に割当てられる。ページング信号及び受信通知信号に関するＢＳ ２００とＷＴ ３００との間のタイミング仕様はＢＳ ２００とＷＴ ３００の両者に周知の所定の方法または予定に従い、および決定される。
【００４６】
ＷＴ情報３５０はデータ３７２、端末ＩＤ情報３７４、ＩＰアドレス情報３７６、受信ページング情報３７８、及びモード情報３８０を含む。データ３７２はＢＳ ２００に伝送されるデータ（例えば、ＷＴ ３００のピア・ノードに送られる目的のユーザ・データ）及びＢＳ ２００から受取られるデータを含む。端末ＩＤ情報３７４はＢＳ ２００によって割当てられるＷＴ ３００の識別子である。ＩＰアドレス情報２９０はＷＴ ３００に固有の識別子であり、基地局に無関係である。受信ページング情報３７８は第一ページング信号情報３８２及び第二ページング信号情報３８４を含む。第一ページング信号情報３８２はＷＴ ３００が群のメンバーである群ＩＤを含めて、ＷＴ ３００向けの第一ページング信号メッセージ３４４に含まれる情報を含む。第二ページング信号情報３８４は、セル及び／またはシステム１００中のＷＴ ３００を唯一識別する情報を含むＷＴ ３００向けの受信第二ページング信号メッセージに含まれる情報、及び呼出しの形式といった、例えば、呼出しに含まれる情報の形式に対応する形式を持つ追加ページング情報を含む。モード情報３８０はＷＴ ３００の状態（例えば、オン状態、休眠状態、等々）を指定する。
【００４７】
通信ルーチン３２６は無線端末３００によって使用される様々な通信プロトコルを実施する。無線端末制御ルーチン３３０は本発明に従って受信機３０２、送信機３０４、電力制御、タイミング制御、及びページング信号通信を含む無線端末３００の機能的動作を制御する。信号通信ルーチン３３０はＢＳ ２００から（第一ページング信号メッセージ及び第二ページング信号メッセージを含む）信号を受取り、および処理する受信機３０２の動作を制御するため、及びＢＳ ２００へ（ページング受信通知メッセージ３４８を含む）信号を伝送する送信機３０４を制御するためにデータ／情報３２４を使用する。タイミング・モジュール３３２はＷＴを作動させるため、即ち、第一ページング信号を受取る適切な時間に休眠から立上げ、適切な時間に休眠に復帰させ、適切な時間に第二ページング信号を受信し、そして適切な時間に受信通知メッセージ３４８を送るために第一ページング信号タイミング情報３６０、及び第二ページング信号タイミング情報３７０を含むデータ／情報３２４を使用する。第一ページング信号検知モジュール３３４は第一ページング信号を受取る受信機３０２を制御し、および第一ページング信号メッセージ３４４を再生するために、例えば、受信第一ページング信号の非同期復調を行う第一復調モジュール３１４の動作を制御する第一ページング信号システム情報３４０、及びＷＴ情報３５０を含むデータ／情報３２４を使用する。第一ページング信号検知モジュール３３４はまた、受信第一ページング信号メッセージ３４４から第一ページング情報ビット３５６に対応する第一ページング信号情報３８２を抜き出し、ＷＴ ３００がページの受取人であるとされる群のメンバーであるかどうかを判定し、そして適切な行動を取る（例えば、休眠へ逆転移を行い、或いは第二ページング信号検知モジュール３３６を稼働する）ためにデータ／情報３２４を使用する。第二ページング信号検知モジュール３３６は第二ページング信号を受取る受信機３０２を制御し、および受信第二ページング信号を受信第二ページング信号メッセージ３４４に復調する第二復調モジュール３１６を制御する第二ページング信号システム情報３４２、及びＷＴ情報３５０を含むデータ／情報３２４を使用する。第二ページング信号検知モジュール３３６はＷＴ ３００がページの目的とする受取人であるかどうかを判定するためにデータ／情報３２４を使用する。ＷＴ ３００が受取人であれば、第二ページング情報ビット３６６に対応する受信第二ページング・メッセージ３４６における情報はＷＴの第二ページング信号情報３８４に伝えられ、ページング受信通知信号メッセージ３４８が生成され、タイミング・モジュール３３２によって決定された適切な時間に送信機３０４によって伝送される。第二ページング信号検知モジュールはまた受信第二ページング信号メッセージ３４６において搬送された命令を実行するために適切な行動をとるＷＴ ３００を制御する。
【００４８】
図４は本発明の一つの典型的な実施例において典型的な通信システム１００に使用される二段階ページング、及び二つの明白なページング信号の形式に関する信号通信を例示する。図４は縦軸４０２に周波数、横軸４０４に時間をとった図表４００である。ページング間隔４１８は連続する第一ページング信号４０６、４１０の間の時間を表す。ページング間隔４１８は第二ページング信号４０８がその後に続く第一ページング信号４０６を含む。第一ページング信号４０６は非常に短い時間期間４１４（例えば、１ＯＦＤＭシンボル）を占有し、非同期変調方法を使用する。第二ページング信号４０８はチャネルを受取る処理費用を最小にするために少数のＯＦＤＭシンボル４１６（例えば、１０以下）を占有し、同期変調方法を使用する。第一ページング間隔４１８は第一ページング信号４１０及び第二ページング信号４１２を含む第二ページング間隔が後に続く。
【００４９】
第一ページング信号４０６は１ビットの情報を搬送し、それはユーザ（例えば、ＷＴ ３００）、または一般に一群のユーザが呼出されつつあるかどうかを示す。第一ページング信号４０６情報ビットがゼロであれば、ユーザは呼出されていない。第一ページング信号情報ビットが１であれば、群中のユーザ（例えば、ＷＴ ３００）の少なくとも一人（例えば、ＷＴ ３００）は呼出されつつある。ユーザ（ＷＴ ３００）の動作は２ステップを含む。ユーザ（ＷＴ ３００）が立上がるとき、ユーザ（ＷＴ ３００）は最初に第一ページング信号４０６を受取る。第一ページング信号４０６情報ビットがゼロであることをユーザが検知すれば、ユーザ（ＷＴ ３００）は休眠状態に戻る。他の場合は、ユーザ（ＷＴ ３００）は第二ページング信号４０８中の詳細なページング・メッセージを受取る動作を続ける。第二ページング信号４０８は呼出しの形式といった詳細なページング情報（例えば、ユーザが基地局にアクセスするか、或いは他の明確な下り回線チャネルにおいて追加メッセージを受取るように要請されるか否か）を含む。さらに、一群のユーザが一つの第一ページング信号４０６を監視すれば、第二ページング信号４０８は呼出されたユーザの詳細なページング識別子を含み、その呼出しが目的とする群メンバーが識別できる。
【００５０】
注意すべきは、前述の方法はユーザ群の概念に対応するシステムに適用できることである。特に、ユーザは一または多数のユーザ群のメンバーである。ページングに関して、ユーザはそれ自身のユーザ・ページング識別子を持ち、またユーザが属する関連ユーザ群に関するページング識別子を持つ。この場合には、ユーザはそれ自身のユーザ・ページング識別子及び関連ユーザ群ページング識別子によってページング・メッセージを監視することになる。一般性を損うことなく、この発明における方法はユーザ群に関するページングに適用できることを了解して、下記ではユーザ群について明白に論じない。
【００５１】
図５は図４に述べられた前述の二段階ページング方法のユーザ動作を例示する。図５は縦軸５０２に周波数、横軸５０４に時間をとった図表５００を含む。双方共が第一ページング信号５０６について割当てられた下り回線チャネルを監視する二人のユーザ、ＷＴＡ１及びＷＴＡ２を考察する。時間ｔ１ ５１５で、ＷＴＡ１及びＷＴＡ２の双方は立上がり、第一ページング信号５０６を受取る。基地局２００はそれらのどちらにも呼出しをすることなく、従って第一ページング信号情報ビット＝０を伝送すると仮定する。第一ページング信号５０６を受取った後、ＷＴＡ１及びＷＴＡ２の双方は休眠状態に戻る。第一ページング信号情報ビットは０であるので、基地局２００は（破線ボックス５０６で示されたように）第二ページング信号を伝送しない。１ページング間隔５１８の後、ＷＴＡ１及びＷＴＡ２の双方は再び立上がり、時間ｔ２に別の第一ページング信号５１０を受取る。基地局２００はＷＴＡ１を呼出し、従って第一ページング信号情報ビット＝１を設定すると仮定する。第一ページング信号５１０の受信の際、ＷＴＡ１及びＷＴＡ２の双方は第二ページング信号５１２を受取る動作を続ける。第二ページング信号５１２はユーザＷＴＡ１のページング識別子を含む。第二ページング信号５１２の受信の際、ユーザＷＴＡ１は、もしあれば、第二ページング信号メッセージに含まれる命令に従い、ユーザＷＴＡ２は信号５１２における識別子がＷＴＡ２の識別子に合致しないことを判定した後で休眠状態に戻るであろう。注意すべきは、ユーザＷＴＡ１及びＷＴＡ２は前述の例において同じページング間隔を持つけれども、一般に異なるユーザには異なるページング間隔があり得ることである。
【００５２】
図５の第一及び第二ページング形式の信号の間の差異をさらに述べる。本発明に従って、図５では、異なる変調手法が第一ページング形式の信号、例えば、信号（５０６、５１０）に対して、及び第二ページング形式の信号、例えば、信号５１２に対して使用される。第一ページング信号５０６は第一変調形式、例えば、変調情報を復号するためにチャネル情報を必要としない非同期変調手法を使用する。ＷＴＡ１及びＷＴＡ２は時間ｔ１ ５１５で立上がり、第一ページング信号５０６の先頭で、期間５１４の第一ページング信号の１または２ＯＦＤＭシンボルを受取り、処理し、例えば、それらの１または２受信ＯＦＤＭ信号にＦＦＴを行い、そして第一ページングに含まれる情報ビットの値を決定する。第一ページング信号５０６における典型的な情報ビットは０であるので、ＷＴは対応する第二ページング信号５０８がないであろうということを認識し、従って電力を保存するために時間 ｔ３で休眠に戻る。同様に、第一ページング信号５１０は非同期変調手法を使用する。ＷＴＡ１及びＷＴＡ２は時間ｔ２ ５１９で立上がり、第一ページング信号５１０の先頭またはその直前で、第一ページング信号の１または２ＯＦＤＭシンボルを受取り、処理し、例えば、それらの１または２受信ＯＦＤＭ信号にＦＦＴを行い、そしてチャネル推定または他の現在のチャネル情報を必要としないで第一ページングに含まれる情報ビットの値を決定する。第一ページング信号５１０における情報ビットは１であるから、ＷＴは対応する第二ページング信号５１２があるであろうということを認識し、いくつかの実施例において、例えば、前記休眠状態より多く電力を消費する稼働状態に留まる。第二形式のページング信号５１２は変調情報を復調するためにチャネル情報の使用を必要とする変調手法、例えば、同期変調手法を使用する。時間ｔ５ ５２４、第二ページング信号５１２の受信の開始、の前のある時間ｔ４で、ＷＴＡ１及びＷＴＡ２は信号、例えば、パイロット・シンボルの受取りを開始する。多数のシンボルが、例えば、異なるトーンを使用して、各シンボル期間の間に伝送される間、ある所与のシンボル時間、例えば、シンボルを伝送するために使用される時間におけるただ二、三のシンボルはパイロット・シンボルである。いろいろな周波数、例えば、トーンに亘って正確な推定を得るために、ページング信号を伝送するために使用されつつある通信チャネルの信頼できる推定を行う十分な数のパイロット・シンボルを受取るには、いくつかのシンボル時間が必要である。ｔ４ ５２２で開始して、ＷＴＡ１及びＷＴＡ２は、例えば、ｔ５ ５２４の前の４シンボル期間に信頼できるチャネル推定を確立するために受信信号に対してＦＦＴを行う。確立チャネル推定は第二ページング信号５１２を復号しているときＷＴＡ１及びＷＴＡ２によって使用される。
【００５３】
時間ｔ６ ５２６はＷＴが第一ページング信号５１０の処理を完了した時間である。いくつかの実施例では、例えば、ＷＴがＯＮにとどまるところで、ＷＴはチャネル推定を確立するためにｔ６ ５２６からｔ５ ５２４の全体の期間を使用する。しかしながら、いくつかの実施例において、ＷＴは情報ビット＝１にも拘わらず休眠状態に戻り、十分な情報、例えば、パイロット信号を受取り、および処理するために時間ｔ４ ５２２で再び立上がり、その結果チャネル推定が確立され、時間ｔ５ ５２４（第二ページング信号５１２の開始）で使用することができる。信号５１０の情報が、第二ページング信号が受取られなかったことを示す０であったならば、ｔ４での立上がりは起こらなかったであろう。いくつかの実施例では、 ４個のパイロット・シンボルが１シンボル時間の間に伝送され、そしてチャネル推定を確立するために使用されるｔ４ ５２２とｔ５ ５２４との時間間隔は３〜５シンボル時間である。注意すべきは、第一ページング信号（５０６、５１０）は搬送される情報を再生するためにチャネル推定を必要としない非同期変調を使用するので、相対的に無線端末は第一ページング信号（５０６、５１０）の前に立上がる必要はないことである。
【００５４】
図６は各第一ページング信号が多数の情報ビット含み、各情報ビットが一つの第二ページング群と関連する本発明の二段階ページング・システムの他の実施例を例示する。図６の一実施例では、各第一ページング信号は４個の情報ビットを搬送する。４情報ビットの各々は対応するユーザ群が呼出されつつあるかどうかを特定し、そうであれば、対応する第二ページング信号が（例えば、所定の時間に予約周波数を使用して）予約スロットで送られることになる。この実施例における第二ページング信号は詳細なページング情報（例えば、呼出された無線端末に対応するページング形式及びページング識別子）を含む。
【００５５】
図６は縦軸６０２に周波数（例えば、下り回線ページング信号に使用されるトーン）、横軸６０４に時間を例示する図表６００である。三つの典型的な第一ページング信号６０６、６０８、６１０及び九つの典型的な第二ページング信号６１２、６１４、６１６、６１８、６２０、６２２、６２４、６２６、６２８が図６に示される。第一ページング信号６０６及び６１０はページング群Ａ、Ｂ、Ｃ、及びＤに対応する情報ビットを含む。第一ページング信号６０８はページング群Ｅ、Ｆ、Ｇ、及びＨと関連する情報ビットを含む。ページング群（Ａ、Ｂ、Ｃ、Ｄ、Ｅ、Ｆ、Ｇ、Ｈ）の各々は多数のユーザ（例えば、（ＷＴＡ１、ＷＴＡ２）、（ＷＴＢ１、ＷＴＢ２）、（ＷＴＣ１、ＷＴＣ２）、（ＷＴＤ１、ＷＴＤ２）、（ＷＴＥ１、ＷＴＥ２）、（ＷＴＦ１、ＷＴＦ２）、（ＷＴＧ１、ＷＴＧ２）、（ＷＴＨ１、ＷＴＨ２）それぞれ）を含む。ビーコン・スロット６５０は二つのページング間隔セグメント、第一ページング間隔セグメント（１）６４６及び第二ページング間隔セグメント（２）６４８を含む。第一ページング間隔セグメント（１）６４６及び第二ページング間隔セグメント（２）６４８はページング間隔６４９を含み、それはビーコン・スロット６５０に対応する。ビーコン・スロット６５０は８個のスーパー・スロット：スーパー・スロット（１）６３０、スーパー・スロット（２）６３２、スーパー・スロット（３）６３４、スーパー・スロット（４）６３６、スーパー・スロット（５）６３８、スーパー・スロット（６）６４０、スーパー・スロット（７）６４２、及びスーパー・スロット（８）６４４を含む。スーパー・スロット、例えば、スーパー・スロット（１）６３０は下り回線トラヒック・チャネル・トーン・ホッピング系列に関する反復時間間隔を表す。ビーコン・スロット６５０は基地局からのビーコン信号伝送に基づく反復時間間隔を表す。この例において、ビーコン・スロット６５０はページング間隔６４９に対応し、ページング群Ａ、Ｂ、Ｃ、Ｄ、Ｅ、Ｆ、Ｇ、及びＨの各々のページング機会を含むシステムの一組のページング信号に関する反復時間間隔を表す。各ページング間隔セグメント６４６、６４８は一つの第一ページング信号及び四つの第二ページング信号に対する機会と関連する時間間隔を表す。ページング間隔（１）６４６は第一ページング信号（１）６０６、第二（群Ａ）ページング信号６１２、第二（群Ｂ）ページング信号６１４、第二（群Ｃ）ページング信号６１６、及び第二（群Ｄ）ページング信号６１８を含む。ページング間隔（２）６４８は第一ページング信号（２）６０８、第二（群Ｅ）ページング信号６２０、第二（群Ｆ）ページング信号６２２、第二（群Ｇ）ページング信号６２４、及び第二（群Ｈ）６２６を含む。
【００５６】
ページング群Ａ、Ｂ、Ｃ、及びＤは第一ページング信号（１）６０６を監視し、一方ページング群Ｅ、Ｆ、Ｇ、及びＨは第一ページング信号（２）６０８を監視する。ページング群Ａは第一ページング信号（１）６０６の第一情報ビットを監視し、それは第二（群Ａ）ページング信号６１２に対応する。ページング群Ｂは第一ページング信号（１）６０６の第二情報ビットを監視し、それは第二（群Ｂ）ページング信号６１４に対応する。ページング群Ｃは第一ページング信号（１）６０６の第三情報ビットを監視し、それは第二（群Ｃ）ページング信号６１６に対応する。ページング群Ｄは第一ページング信号（１）６０６の第四情報ビットを監視し、それは第二（群Ｄ）ページング信号６１８に対応する。ページング群Ｅは第一ページング信号（２）６０８の第一情報ビットを監視し、それは第二（群Ｅ）ページング信号６２０に対応する。ページング群Ｆは第一ページング信号（２）６０８の第二情報ビットを監視し、それは第二（群Ｅ）ページング信号６２２に対応する。ページング群Ｇは第一ページング信号（２）６０８の第三情報ビットを監視し、それは第二（群Ｆ）ページング信号６２４に対応する。ページング群Ｈは第一ページング信号（２）６０８の第四情報ビットを監視し、それは第二（群Ｈ）ページング信号６２６に対応する。
【００５７】
ユーザ・デバイス（例えば、ＷＴ ３００）の動作は各ページング群に関して図５に例示されたものと類似する。典型的なページング群Ａが無線端末ＷＴＡ１及びＷＴＡ２を含む場合を考察する。無線端末ＷＴＡ１は第一ページング信号（１）６０６の第一情報ビットを監視する。第一情報ビットが０であれば、無線端末ＷＴＡ１は次の第一ページング信号（１）６１０まで休眠状態に戻る。第一情報ビットが１であれば、無線端末ＷＴＡ１は動作を続け、第二（群Ａ）ページング信号６１２を受取ることになる。一方、第一情報ビットが０であれば、基地局２００は対応する第二（群Ａ）ページング信号６１２の伝送を一時中断することができる。第一情報ビットが１であれば、基地局２００は第二（群Ａ）ページング信号６１２において詳細なページング情報を送らなければならない。
【００５８】
前述の実施例の一つの潜在的欠点は個々のページング群における混雑によって起こりうるページング遅延である。例えば、基地局２００が同じページング群に属する多数の無線端末（例えば、群ＡのＷＴＡ１及びＷＴＡ２）を個々に呼出ししようとすれば、その時基地局２００はページング群の１無線端末のみしか一度に呼出しできないので、基地局２００は無線端末を呼出すために多くのページング間隔（例えば、多くのページング間隔セグメント（１）反復）を取る。基地局２００が無線端末ＷＴＡ１及びＷＴＡ２の両方を呼出ししようとすると仮定する。そして、ページング群Ａは混雑して、ＷＴＡ１及びＷＴＡ２を呼出すためにページング間隔セグメント（１）６４６を二つ反復するであろう。注目すべきは、ページング群が混雑するとき、別のページング群が遊休状態で、即ち、そのページング群のユーザは呼出されないことである。例えば、ページング群Ａが混雑するとき、ページング群Ｂは遊休状態である。
【００５９】
次に述べる典型的実施例は、異なるページング群の間で第二ページング信号チャネル資源を分配することによってページング待ち時間を減少させる。特に、一つの第一ページング信号は多数のページング群情報ビット及び拡張ビットを含む情報ビットを含む。図６において、その第一ページング信号（１）６０６が（上に述べたように）４ページング群情報ビット及び拡張ビットを搬送することを仮定する。前の実施例と同様に、各ページング群情報ビットは対応するページング群のユーザが呼出されるかどうかを特定する。ユーザは最初に第一ページング信号（１）を受取ることになる。対応するページング群情報ビットが０であれば、ユーザは休眠状態に戻ることができる。対応するページング群情報ビットが１であれば、ユーザは詳細な第二ページング・メッセージ信号を受信するために動作し続けることになる。ページング群情報ビットが１であり、および拡張ビットが０であれば、詳細な第二ページング・メッセージ信号は前の実施例と同様に対応する第二ページング信号スロットにおいて受信されることになる。しかしながら、ページング群情報ビットが１であり、および拡張ビットが１であれば、ユーザに対応する詳細な第二ページング・メッセージ信号は通常使われるものとは異なる第二ページング信号スロットにおいて送ることができる。一つの実施例では、ページング群情報ビット＝１及び拡張ビット＝１に関して、詳細な第二ページング・メッセージ信号は第一ページング信号の次の四つの第二ページング信号チャネル・スロットのいずれにおいても送ることができる。この場合には、ユーザは四つの第二ページング信号スロットの各々において信号を受取り、および処理する動作を続ける。
【００６０】
基地局２００が二つの無線端末ＷＴＡ１及びＷＴＡ２（両方ともページング群Ａにある）を呼出ししようとすると想定する。基地局２００は（ページング群Ａに対応する)１に設定されるページング群情報ビットを除いて、第一ページング信号（１）６０６中のページング群情報ビットの各々を０に設定することになる。ＢＳ ２００はまた第一ページング信号（１）６０６において１になるように拡張ビットを設定することになる。基地局２００はＷＴＡ１及びＷＴＡ２に関する第二ページング・メッセージ信号を６１２、６１４、６１６、及び６１８に対応する４個の次の第二ページング信号スロットのいずれか二個において送ることができ、ＷＴＡ１及びＷＴＡ２の両方が一つのページング間隔（１）６４６において両方呼出されることを可能にし、それによってページング待ち時間を減少させる。
【００６１】
別の実施例では、拡張ビット＝１は、群情報ビット＝１を持つ群からのＷＴがそのページング間隔の間にそれ自身の群スロット、または群情報を持つスロットのいずれかにおいて伝送された第二ページング信号を持つことになることを示す。ＷＴはＷＴ向けの候補ページング信号のために受取り、および処理するために次の第二ページング信号６１２、６１４、６１６、６１８のどれかを決定するため、第一ページング信号（１）６０６を使用することができる。
【００６２】
図７は本発明に従って二段階ページング・システムの別の典型的な実施例を例示する。図７は縦軸７０２に（下り回線ページング信号のために使われる）周波数を、横軸７０４に時間を例示する図表７００である。二つの典型的な第一ページング信号７０６、７０８及び九つの典型的な第二ページング信号７１０、７１２、７１４、７１６、７１８、７２０、７２２、７２４、７２６が図７に示される。第一ページング信号７０６及び７０８は８個の群情報ビットを含み、一つの群情報ビットは各ページング群Ａ、Ｂ、Ｃ、Ｄ、Ｅ、Ｆ、Ｇ、Ｈで識別される。ビーコン・スロット７４６は一つのページング間隔と８個のスーパー・スロット：スーパー・スロット（１）７２８、スーパー・スロット（２）７３０、スーパー・スロット（３）７３２、スーパー・スロット（４）７３４、スーパー・スロット（５）７３６、スーパー・スロット（６）７３８、スーパー・スロット（７）７４０、及びスーパー・スロット（８）７４２を含む。ビーコン・スロット７４６はページング群Ａ、Ｂ、Ｃ、Ｄ、Ｅ、Ｆ、Ｇ、及びＨの各々のページング機会を含むシステムの一組のページング信号に関する反復時間間隔を表す。ページング間隔７４４は第一ページング信号（１）７０６、第二（群Ａ）ページング信号７１０、第二（群Ｂ）ページング信号７１２、第二（群Ｃ）ページング信号７１４、第二（群Ｄ）ページング信号７１６、第二（群Ｅ）ページング信号７１８、第二（群Ｆ）ページング信号７２０、第二（群Ｇ）ページング信号７２２、及び第二（群Ｈ）ページング信号７２４を含む。
【００６３】
図６の第一情報信号（１）６０６に含まれる４個の群情報ビットに関して述べられた同じ方法は、図７の第一情報信号７０６における８個の群情報ビットに適用される。例えば、第一ページング信号７０６情報ビット＝００１０００１０であれば、二つの第二ページング信号は、（群Ｃ）ページング信号７１４及び第二（群Ｇ）ページング信号７２２を使用して二つのＷＴ（例えば、ＷＴＣ１及びＷＴＧ１）に送られるであろう。
【００６４】
その上、いくつかの実施例では、拡張ビットは図６に関して論じられたものと同じ、もしくは同様の仕様を使用して第一情報信号７０６の８個の群情報ビットに加えられる。例えば、第一ページング信号７０６情報ビット＝０００１００００  １であれば、一実施例において、二つの第二ページング信号は８個の第二ページング・スロット７１０、７１２、７１４、７１６、７１８、７２０、７２２、及び７２４のどれか二つを使用して群Ｄの二人のメンバー（例えば、ＷＴＤ１及びＷＴＤ２）に送られるであろう。
【００６５】
各無線端末特定ＩＤ（例えば、ＷＴ ＩＰアドレス３７６）が３２ビットを含む図７の例を考察する。一つの実施例では、３２ビットの各無線端末特定ＩＤは８個の群（Ａ、Ｂ、Ｃ、Ｄ、Ｅ、Ｆ、Ｇ、Ｈ）の一つを特定する（例えば、ハッシュ関数を介して）３ビットに写像される。基地局２００がＷＴ ３００に関する第二ページング・メッセージをどの群に送るべきか、及びＷＴ ３００は可能な第二ページング・メッセージに関してどの第二の標準ページング・スロットを見るべきかを３ビットは識別する。ＢＳ ２００は呼出しの目的である特定ＷＴ ３００を識別するために使用される第二ページング・メッセージ中に追加識別情報（例えば、２９個の追加識別ビット）を含めることができる。
【００６６】
図８は本発明に従って二段階ページング・システムの別の典型的な実施例を例示する。図８は縦軸８０２に（下り回線ページング信号に使用される）周波数、横軸８０４に時間を例示する図表８００である。三つの典型的な第一ページング信号８０６、８０８、８１０及び九つの典型的な第二ページング信号８１２、８１４、８１６、８１８、８２０、８２２、８２４、８２６、８２８が図８に示される。第一ページング信号８０６、８０８、８１０は四つの群情報ビットを含み、一つの群情報ビットは各ページング群Ａ、Ｂ、Ｃ、Ｄによって識別される。ビーコン・スロット８４８は二つのページング間隔８４６、８４６' 及び８個のスーパー・スロット：スーパー・スロット（１）８３０、スーパー・スロット（２）８３２、スーパー・スロット（３）８３４、スーパー・スロット（４）８３６、スーパー・スロット（５）８３８、スーパー・スロット（６）８４０、スーパー・スロット（７）８４２、及びスーパー・スロット（８）８４４を含む。ビーコン・スロット８４８はページング群Ａ、Ｂ、Ｃ、Ｄの各々のページング機会の二つの集合を含むシステムのページング信号の二つの集合に関する反復時間間隔を表す。ページング間隔８４６は第一ページング信号８０６、第二（群Ａ）ページング信号８１２、第二（群Ｂ）ページング信号８１４、第二（群Ｃ）ページング信号８１６、第二（群Ｄ）ページング信号８１８を含む。ページング間隔８４６' は第一ページング信号８０８、第二（群Ａ）ページング信号８２０、第二（群Ｂ）ページング信号８２２、第二（群Ｃ）ページング信号８２４、第二（群Ｄ）ページング信号８２６を含む。 図８において、特定（例えば、群Ａ）の第二ページング群の連続する機会の間の反復時間は４スーパー・スロットであり、一方、図６または図７において、反復間隔は８スーパー・スロットである。
【００６７】
図６の第一情報信号（１）６０６に含まれる四つの群情報ビットに関して述べられた同じ方法は、図８の第一情報信号８０６における四つの群情報ビットに適用される。その上、いくつかの実施例において、拡張ビットは図６に関して論じられたものと同じか、もしくは同様の仕様を使用して第一情報信号８０６の四つの群情報ビットに加えられる。
【００６８】
図８に関して述べられたこの方法はいくつかのアプリケーションにおいて図６または図７の方法に対する利点を提供することができる（例えば、ここでは個々のＷＴ ３００のページング間隔を最小にすることは重要であり、システムの動態は各群においてより多数のユーザに対応することができる）。その上、図８の方法を使うことによって、同じ群（例えば、群Ａ）の二人のメンバーが呼出しを必要とするならば（そして、その実施が拡張ビットに対応しなければ）、ＢＳ ２００は、例えば、待ち行列、サービス要求の品質、等々に基づいて呼出しを優先させることによって、どのページがより時間重視であるか見分けることができ、その呼出しを第一ページング信号８０６及び第二（群Ａ）ページング信号８１２に割当て、一方あまり時間重視しない呼出しを第一ページング信号８０８及び第二（群Ａ）ページング信号８２０に保持する。
【００６９】
図９は本発明に従って典型的な下り回線ページング信号通信、典型的な上り回線受信通知信号、及び信号通信間のタイミング相互関係を例示する。図９は縦軸９０２に（例えば、ＢＳ ２００からＷＴ ３００への下り回線ページング信号に使用される）周波数、横軸９０４に時間を例示する図表９００を含む。三つの典型的な第一ページング信号９０６、９０８、９１０及び九つの典型的な第二ページング信号９１２、９１４、９１６、９１８、９２０、９２２、９２４、９２６、９２８が図９に示される。第一ページング信号９０６、９０８、９１０は四つの群情報ビットを含み、一つの群情報ビットは各ページング群Ａ、Ｂ、Ｃ、Ｄによって識別される。ビーコン・スロット９９６は二つのページング間隔９９４、９９４' 及び８個のスーパー・スロット：スーパー・スロット（１）９７８、スーパー・スロット（２）９８０、スーパー・スロット（３）９８２、スーパー・スロット（４）９８４、スーパー・スロット（５）９８６、スーパー・スロット（６）９８８、スーパー・スロット（７）９９０、及びスーパー・スロット（８）９９２を含む。ビーコン・スロット９９６はページング群Ａ、Ｂ、Ｃ、Ｄの各々のページング機会の二つの集合を含むシステムのページング信号の二つの集合に関する反復時間間隔を表す。ページング間隔９９４は第一ページング信号９０６、第二（群Ａ）ページング信号９１２、第二（群Ｂ）ページング信号９１４、第二（群Ｃ）ページング信号９１６、第二（群Ｄ）ページング信号９１８を含む。ページング間隔９９４' は第一ページング信号９０８、第二（群Ａ）ページング信号９２０、第二（群Ｂ）ページング信号９２２、第二（群Ｃ）ページング信号９２４、第二（群Ｄ）ページング信号９２６を含む。
【００７０】
図９はまた縦軸９５２に( 例えば、ＷＴ ３００からＢＳ ２００への上り回線ページング受信通知信号に使用されるトーンに対応する)周波数、横軸９５４に時間を例示する図表９５０を含む。ＢＳ ２００からＷＴ ３００へ伝送される各第二ページング信号に関して、ＷＴ ３００からＢＳ ２００への受信通知のために用意された対応スロットがある。典型的なＯＦＤＭシステムにおいて、各受信通知のための専用上り回線チャネル資源は二、三のＯＦＤＭシンボルまたは１ＯＦＤＭトーン・シンボル上で二、三トーンであり、それは対応する第二ページング信号の目的の受取人による使用のために用意される。
【００７１】
図表９５０は九つの典型的な受信通知信号：（群Ａ）受信通知信号９５６（第二（群Ａ）ページング信号９１２に対応する）、（群Ｂ）受信通知信号９５８（第二（群Ｂ）ページング信号９１４に対応する）、（群Ｃ）受信通知信号９６０（第二（群Ｃ）ページング信号９１６に対応する）、（群Ｄ）受信通知信号９６２（第二（群Ｄ）ページング信号９１８に対応する）、（群Ａ）受信通知信号９６４（第二（群Ａ）ページング信号９２０に対応する）、（群Ｂ）受信通知信号９６６（第二（群Ｂ）ページング信号９２２に対応する）、（群Ｃ）受信通知信号９６８（第二（群Ｃ）ページング信号９２４に対応する）、（群Ｄ）受信通知信号９７０（第二（群Ｄ）ページング信号９２６に対応する）、（群Ａ）受信通知信号９７２（第二（群Ａ）ページング信号９２８に対応する）を含む。
【００７２】
第一ページング信号９０６はスーパー・スロット（１）９７８、ページング間隔９９４、及びビーコン・スロット９９６に関して同期する。時間間隔９３０は第一ページング信号９０６と第二（群Ａ）ページング信号９１２スロットとの間のタイミング関係を表す。時間間隔９３２はページング間隔（例えば、第二（群Ａ）ページング信号９１２と第二（群Ｂ）ページング信号９１４との間の時間）における次の第二ページング信号スロット間隔の間の遅延を表す。
【００７３】
図９は第二ページング・メッセージ信号に対応する上り回線専用受信通知信号を示す。本発明に従って、異なるユーザは長時間にわたって受信通知チャネルを使用することができる。例えば、第一ページング間隔９９４の間、第二（群Ａ）ページング信号９１２はＷＴＡ１向けであり、そして（群Ａ）受信通知信号９５６はＷＴＡ１によって伝送される；続いて、第二ページング間隔９９４' の間、第二（群Ａ）ページング信号９２０はＷＴＡ２向けであり、（群Ａ）受信通知信号９６４はＷＴＡ２によって伝送される。一方、受信通知チャネルは勝手自由に使用される。
【００７４】
図９において、第二ページング信号及び受信通知信号は各々の可能なスロットにおいて示されてきた。しかしながら、特定の群のメンバーが或るページング間隔に呼出されなければ、第一ページング信号はその情報を伝え、続いて対応する第二ページング信号及び受信通知信号は所定の時間スロットにおいてその群のために送られないであろう。
【００７５】
この特別の典型的実施例では、第一ページング信号について明白な受信通知はない。上り回線受信通知信号は（首尾よく受取られた第二ページング・メッセージを示す）肯定受信通知、または（誤り状態で受取られた第二ページング・メッセージを示す）否定受信通知を示す１ビット情報を伝える。第二ページング信号の目的の受取人、例えば、ＷＴ ３００がＢＳ ２００へ対応する受信通知確認を伝送しなければ、ＢＳ ２００はＷＴ ３００が第二ページング信号を受取らなかったとして、第二ページング信号の再伝送が必要である（ページがなお適用可能であれば）ことを仮定する。
【００７６】
基地局２００は第二ページング信号（例えば、第二（群Ａ）ページング信号９１２）を送った後、基地局２００はページング・メッセージが正しく受取られたことを確認するために対応する上り回線受信通知信号（例えば、（群Ａ）受信通知信号９５６）を受取らなければならない。基地局２００が受信通知信号を受取らなければ、基地局２００はそのページングが届けられなかったと推測し、従って後の第二ページング信号においてページングを再伝送する。基地局２００が否定応答を受取れば、基地局２００は目的の受取人が誤りのある第二ページング・メッセージを受取ったことを通告され、斯くして基地局はページングを後の第二メッセージにおいて再伝送する。ページング間隔が本発明によって短ければ、再伝送待ち時間もまた長くはない。従って、いくつかの実施例において、基地局はページング信頼性を高めるためにページング・メッセージを何度も伝送することができる。
【００７７】
時間間隔９７４は第二ページング信号と対応受信通知信号との間の遅延、例えば、第二（群Ａ）ページング信号９１２と（群Ａ）受信通知信号９５６との間の時間を表す。注意すべきは、受信通知信号９７４が次の第二ページング信号（例えば、第二（群Ｂ）ページング信号９１６）に時間間隔９７６だけ先行することである。いくつかの実施例において、ＢＳ ２００は（例えば、拡張ビット＝１であれば）未肯定または否定受信通知の第二ページング信号を次に続く利用可能な第二ページング・スロットにおいて再伝送する。いくつかの実施例において、ＢＳ ２００は未肯定または否定受信通知の第二ページング信号を別の第一ページング信号及び別の第二ページング信号を含む次のページング間隔において再伝送する。
【００７８】
ページング再伝送機構はまたページング信号を送るに必要な平均電力を減少させるのに役立てることができる。特に、ページング信号は休眠状態におけるユーザ（例えば、ＷＴ ３００）に送られるので、基地局２００は一般にユーザの下り回線チャネル状態が分からない。ユーザ（例えば、ＷＴ ３００）はページング信号を受取るために大抵そのような高い電力を必要としないけれども、ユーザ（例えば、ＷＴ ３００）に達するために、基地局２００はページング信号を送る最悪の場合の電力を使用しなければならない。ページング再伝送機構に関して、基地局２００は最初の伝送のページング信号を送るために比較的小さな電力を使用する。ユーザ（例えば、ＷＴ ３００）が基地局２００に近ければ、ユーザ（例えば、ＷＴ ３００）は最初の時間にページング信号を受取り、それによって下り回線電力を節約することができる。ユーザ（例えば、ＷＴ ３００）が基地局２００から離れており、最初にページング信号を受取ることができなければ、基地局２００はユーザに届くようにするため第二の伝送において電力を増加し、および時折増加を行う。平均して、基地局２００は下り回線ページング信号において伝送電力を節約することができる。
【００７９】
いくつかの実施例において、ＢＳ ２００は第一ページング信号及び第二ページング信号に関していろいろな電力レベルを使用する。例えば、（多数のユーザ群において多数のユーザにサービス可能な）第一ページング信号に適用された電力レベルは一定の最悪の場合の電力レベルを使用し、一方、第二ページング信号は可変電力レベルを使用する。いくつかの実施例において、ＢＳ ２００は失敗したページング試行数の関数として第二ページング信号の電力レベルを変える。例えば、第二ページング信号の電力レベルは最初の試行の間は低く設定される。そして、肯定受信通知が得られなければ、電力レベルは同じ第二ページング信号の再伝送のために増加される。このようにシステム中の総合的干渉レベルは低減される。第二ページング信号の電力レベルはまたページの時間及び／またはサービスのレベルの関数として決定的に変えられる。
【００８０】
注意すべきは、下り回線ページング信号を受信するユーザ（例えば、ＷＴ ３００）は休眠状態からようやく来たところなので、ユーザは電力またはタイミング制御されていないことである。本発明に従って、上り回線ページング受信通知チャネルは他の正常なデータ伝送を妨害しない信号通信フォーマットを使用する。そのような一つの実施例では、上り回線ページング受信通知信号は時間分割（ＴＤＭ）様式で通常のデータ伝送から分離している個別受信通知チャネルにおいて伝送され、そこでは各上り回線承認セグメントはページング信号を伝送するために使用されるページング・チャネルのセグメントに所定の様式で対応している。その上、タイミング同期なしでも、上り回線ページング受信通知チャネルが上り回線アクセス・チャネルになお直交するように長い巡回プレフィックスが使用される。さらに、上り回線ページング受信通知チャネルは同様の信号通信フォーマットを使用するので、稼働状態に戻るようにユーザ（例えば、ＷＴ ３００）に基地局２００が指示する場合に、基地局２００は特別なアクセス試行として上り回線ページング受信通知チャネルを扱うことができる。例えば、基地局２００は上り回線ページング受信通知チャネル信号からタイミング修正を決定し、およびユーザ（例えば、ＷＴ ３００）のタイミングを修正し、そして稼働接続を確立する必要がある適切な空中回線チャネル資源をユーザに供与することができる。
【００８１】
いくつかの実施例において、（例えば、第一ページング信号は特定の呼出された無線端末の情報の識別を許容する情報を伝達するところで）、受信通知信号は第一ページング信号に応答してＷＴ ３００によって送られる。
【００８２】
本発明の他の実施例において、各ページング群に指定されたスロットは固定されてないが、基地局２００とＷＴ ３００との間の所定の了解に基づいて変化する。例えば、図７の８個のページング群（Ａ、Ｂ、Ｃ、Ｄ、Ｅ、Ｆ、Ｇ、Ｈ）を考慮し、拡張ビットは使用されないと仮定する。一つの典型的なページング間隔７４４の間、基地局２００は二つのＷＴ（例えば、ＷＴＥ１及びＷＴＧ１）の呼出しを要求する。ＢＳ ２００は情報ビット＝００００１０１０を含む第一ページング信号７０６を送る。群Ｅ及び群Ｇにおける無線端末はそれらが可能性のある呼出しを持っていること及び二つの群が呼出しを持っていることを認識する。この実施例において、第二ページング信号は未使用のスロットを利用するスロット位置に進められる。ＷＴＥ１のページング信号は最初の第二ページング・スロット（例えば、第二（群Ａ）ページング信号７１０のために通常用意されるスロット）において送られ、そしてＷＴＧ１のページング信号は二番目の第二ページング・スロット（例えば、第二（群Ｂ）ページング信号７１２のために通常用意されるスロット）において送られるであろう。
【００８３】
図１０は五つの第一情報メッセージ（例えば、第一ページング信号メッセージ２５２）の第一ページング情報ビット（例えば、第一ページング情報ビット２５６）を変調するために使用される非同期変調手法の典型的な方法を例示する。図表１０００は３２個のトーン（トーン０ １０２１、トーン１ １０２２、トーン２ １０２３、トーン３ １０２４、トーン４ １０２５、トーン５ １０２６、トーン６ １０２７、トーン７ １０２８、トーン８ １０２９、トーン９ １０３０、トーン１０ １０３１、トーン１１ １０３２、トーン１２ １０３３、トーン１３ １０３４、トーン１４ １０３５、トーン１５ １０３６、トーン１６ １０３７、トーン１７ １０３８、トーン１８ １０３９、トーン１９ １０４０、トーン２０ １０４１、トーン２１ １０４２、トーン２２ １０４３、トーン２３ １０４４、トーン２４ １０４５、トーン２５ １０４６、トーン２６ １０４７、トーン２７ １０４８、トーン２８ １０４９、トーン２９ １０５０、トーン３０ １０５１、トーン３１ １０５２）の間に分割された軸１００２上の下り回線周波数を例示する。図１０に例示された方法はオン／オフ・キーイングである。或る時間に、第一ページング・メッセージ信号伝送（例えば、典型的なＯＦＤＭシンボル時間１０４０） に関して、３２個のトーンの集合における一つのトーンは印加電力によって伝送され、残りの他の３１個のトーンは何も伝送しない。第一ページング・メッセージ信号の四つの例が図１０に示される。典型的な第一ページング信号１００１において、電力はトーン０ １０２１（位置１０６２の１で示される）に印加され、トーン集合中の他の３１個のトーンには印加されない。典型的な第一ページング信号１００３において、電力はトーン１ １０２２（位置１０６４の１で示される）に印加され、トーン集合中の他の３１個のトーンには印加されない。典型的な第一ページング信号１００５において、電力はトーン２ １０２３（位置１０６６の１で示される）に印加され、トーン集合中の他の３１個のトーンには印加されない。典型的な第一ページング信号１００７において、電力はトーン３ １０２４（位置１０６８の１で示される）に印加され、トーン集合中の他の３１個のトーンには印加されない。第一ページング信号を受取るＷＴ ３００はチャネル推定を確立する必要はない。ＷＴ ３００は適切な時間に立上がり、一つのＯＦＤＭシンボル期間の第一ページング・メッセージ信号を受取り、ＦＦＴを行い、非常に高い電力の一つのトーン（周波数）を確立し、そして五つの情報ビットを算定することができる。
【００８４】
典型的な五つの情報ビットと３２個のトーンによって例示され、図５に関して述べられたオン／オフ・キーイング非同期変調方法は、異なる数の第一情報ビット及び使用された異なる数のトーン（例えば、ｋ個の情報、２ｋ個のトーン）を使用する実施例において適用される。
【００８５】
他の実施例において、五つの情報ビットは３２個のトーンのオン／オフ状態を３２個の符号語と関連させることによって搬送される。一般に、第一ページング信号のｋ個の第一情報ビットは２ｋの直交単位（orthogonal units）によって搬送される。
【００８６】
図１１は情報メッセージ（例えば、第一ページング信号メッセージ)の五つの第一情報ビット（例えば、第一ページング情報ビット２６６)を第一情報信号へ変調するために使用される別の典型的な方法を例示する。図表１１００は３２個のトーン（トーン０ １１２１、トーン１ １１２２、トーン２ １１２３、トーン３ １１２４、トーン４ １１２５、トーン５ １１２６、トーン６ １１２７、トーン７ １１２８、トーン８ １１２９、トーン９ １１３０、トーン１０ １１３１、トーン１１ １１３２、トーン１２ １１３３、トーン１３ １１３４、トーン１４ １１３５、トーン１５ １１３６、トーン１６ １１３７、トーン１７ １１３８、トーン１８ １１３９、トーン１９ １１４０、トーン２０ １１４１、トーン２１ １１４２、トーン２２ １１４３、トーン２３ １１４４、トーン２４ １１４５、トーン２５ １１４６、トーン２６ １１４７、トーン２７ １１４８、トーン２８ １１４９、トーン２９ １１５０、トーン３０ １１５１、トーン３１ １１５２）の間に分割された軸１１０２上の下り回線周波数を例示する。３２個のトーンは八つのトーン部分集合：トーン部分集合０ １１６１（トーン０〜３）、トーン部分集合１ １１６２（トーン４〜７）、トーン部分集合２ １１６３（トーン８〜１１）、トーン部分集合３ １１６４（トーン１２〜１５）、トーン部分集合４ １１６５（トーン１６〜１９）、トーン部分集合５ １１６６（トーン２０〜２３）、トーン部分集合６ １１６７（トーン２４〜２７）、トーン部分集合７ １１６８（トーン２４〜２７）に分割される。
【００８７】
第一ページング・メッセージ信号において、一つの特定トーン部分集合が伝送され、その間他の七つのトーン部分集合は伝送されない。八つのトーン部分集合の選択におけるこの選択は情報ビット（例えば、三つの第一ページング情報ビット）を搬送する。図１１における各トーン部分集合はトーン部分集合のトーンが物理的に連続するトーンになるように配列される。そして、無線チャネル応答が一つのトーンから別の物理的に連続するトーンまであまり多く変化しないと仮定することによって、どのトーン部分集合のトーン上でも情報を変調することによって追加の情報（例えば、二つの第一ページング情報ビット）を伝送することができる。例えば、差分変調手法または直交変調手法はあらゆるトーン部分集合の連続するトーンにおいて使用することができる。図１１は直交位相変調手法が選択されたトーン部分集合に対して使用されると仮定する。図１１の直交位相変調手法は選択された（電力伝送）トーン部分集合の四つの連続するトーンの間の位相に関する可能性：＋＋＋＋、＋＋−−、＋−＋−、及び＋−−＋を許容する。ここで、＋は０度位相を示し、−は１８０度位相を示す。第一ページング・メッセージ信号の四つの例が図１１に示される。典型的な第一ページング信号１１０１において、伝送電力は第一トーン部分集合０ １１６１の四つのトーンに与えられ、他の七つのトーン部分集合における他の２８のトーンには与えられない；そして対応するボックス１１７１、１１７２、１１７３、１１７４に示されたように、位相は四つのトーン１１２１、１１２２、１１２３、１１２４に関して＋＋＋＋にそれぞれ設定される。典型的な第一ページング信号１１０３において、伝送電力は第一トーン部分集合０ １１６１の四つのトーンに与えられ、他の七つのトーン部分集合における他の２８のトーンには与えられない；そして対応するボックス１１７５、１１７６、１１７７、１１７８に示されたように、位相は四つのトーン１１２１、１１２２、１１２３、１１２４に関して＋＋−−にそれぞれ設定される。典型的な第一ページング信号１１０５において、伝送電力は第一トーン部分集合０ １１６１の四つのトーンに与えられ、他の七つのトーン部分集合における他の２８のトーンには与えられない；そして対応するボックス１１７９、１１８０、１１８１、１１８２に示されたように、位相は四つのトーン１１２１、１１２２、１１２３、１１２４に関して＋−＋−にそれぞれ設定される。典型的な第一ページング信号１１０７において、伝送電力は第一トーン部分集合０ １１６１の四つのトーンに与えられ、他の七つのトーン部分集合における他の２８のトーンには与えられない；そして対応するボックス１１８３、１１８４、１１８５、１１８６に示されたように、位相は四つのトーン１１２１、１１２２、１１２３、１１２４に関して＋−−＋にそれぞれ設定される。第一ページング信号を受信するＷＴ ３００はチャネル推定を確立し、チャネル推定の知識を持ち、またはチャネル状態の履歴に頼る必要性はない。ＷＴ ３００は適切な時間に立上がり、１ＯＦＤＭシンボル期間（例えば、時間間隔１１０４）の第一ページング・メッセージ信号を受取り、ＦＦＴを行い、（三つの第一ページング・メッセージ情報ビットを得る）他のトーン部分集合よりも非常に高い電力のトーン部分集合を決定し、集合中の四つのトーンに関する位相を決定し、そして（追加の第一ページング情報ビットを得る）四つの符号語のいずれが伝送されたかについ
て最良の決定を行う。
【００８８】
図１２は本発明に従って多数の無線端末を含む通信システムにおいて、無線端末（ＷＴ）を呼出す基地局を動作させる典型的な方法を例示するフローチャート１２００の図である。典型的な基地局ページング方法はステップ１２０２で開始され、そこでは少なくとも一つの基地局が初期化され、例えば、ページング信号の伝送に関して所定のタイミング系列を処理するために初期化され、および伝送されるページング・メッセージを受取り、および／または生成するために初期化される。動作はステップ１２０２からステップ１２０４へ進む。
【００８９】
ステップ１２０４において、基地局は第一の群においてＷＴに関して伝送されるページング・メッセージがあるかどうかを決定する。例えば、ページング・メッセージは伝送に関して待ち行列になっている。そのようなページング・メッセージは呼出されるＷＴと通信セッションを確立することを試みて、呼出されるＷＴのピア・ノードに応答して生成される。呼出しが並んだ基地局は呼出されるＷＴの最近の既知の接続点である。第一群中のＷＴのために伝送されるページング・メッセージがあれば、動作はステップ１２０６に進む；他の場合は、動作はステップ１２０８に進む。
【００９０】
ステップ１２０６において、基地局は第一の情報ビット数を搬送する第一ページング信号を生成するために、第一変調形式、例えば、非同期変調形式を使用して、前記第一の情報ビット数、例えば、１情報ビットを変調するために動作し、前記第一ページング信号は第一群の少なくとも一つの無線端末に関するページング・メッセージがそこにあるかどうかを示す情報を含む。様々な実施例において使用される変調手法のいくつかの形式はオン／オフ変調、直交変調、及び差分変調を含む。動作はステップ１２０６からステップ１２１０へ進む。
【００９１】
ステップ１２０８において、基地局は第一の情報ビット数を搬送する第一ページング信号を生成するために、第一変調形式、例えば、非同期変調形式を使用して、前記第一の情報ビット数、例えば、１情報ビットを変調するために動作し、前記第一ページング信号はページング・メッセージがそこにないかどうかを示す情報を含む。様々な実施例に使用される非同期変調手法のいくつかの形式はオン／オフ変調、直交変調、及び差分変調を含む。動作はステップ１２０８からステップ１２１０へ進む。
【００９２】
次に、ステップ１２１０において、基地局は第一ページング信号を、例えば、その通信可能区域、例えば、セルまたはセクターに伝送するために動作する。いくつかのＯＦＤＭの実施例において、第一ページング・シンボルは期間に４シンボル時間より少ない、例えば、１、２あるいは３シンボル時間の期間に伝送され、そこではシンボル時間はシンボルを伝送するために使用される時間期間に対応する。多数のシンボルは、例えば、いろいろなトーンを使用して、シンボル時間の間に並行して伝送される。第一ページング信号の伝送は第一ページング信号を通信チャネルに伝送することを含む。上で論じたように、第一変調方法は変調情報を復調するためにＷＴによって使用されるのに通信チャネル情報を必要としない変調方法、例えば、非同期変調方法である。
【００９３】
動作はステップ１２１０からステップ１２１２へ進む。ステップ１２１２において、ページング・メッセージが伝送されたことをステップ１２０４が示したかどうかに関して検査が行われる。ページング・メッセージが送られたことがステップ１２０４において判定されたならば、動作はステップ１２１４へ進む；そうでない場合は、伝送されるページング・メッセージが無く、動作はステップ１２０４に戻る。
【００９４】
ステップ１２１４において、基地局は第二ページング信号を生成するために、第一変調形式とは異なる第二変調形式を使用して第二の情報ビット数を変調するために動作し、ページング・メッセージがそこにあることを前記第一ページング信号が示すとき、前記第二ページング信号は前記ページング・メッセージの少なくとも一部を含む。多くの実施例において、第二の情報ビット数は第一の情報ビット数と異なり、そして第二の情報ビット数は第一の情報ビット数より大きい。様々な実施例において使用される同期変調手法のいくつかの形式は直角位相偏移キーイング及び直角振幅変調を含む。いくつかの実施例において、第二ページング信号はシステムにおいてＷＴを識別するために使用される情報を含む。いくつかの実施例において、第二ページング信号は一群のＷＴ内のＷＴを唯一識別することができる情報を含む。いくつかの実施例において、第一ページング信号は一群の通信デバイスを指示し、第二ページング信号はページング・メッセージが群中のいずれの特定のページング・デバイスに送られるかを指示する。
【００９５】
動作はステップ１２１４からステップ１２１６へ進み、そこで基地局は第二ページング信号を、例えば、その通信可能区域、例えば、そのセルまたはセクターに伝送するために動作する。多くの実施例において、第二変調形式、例えば、同期変調方法は第二変調形式によって変調された情報を復調するためにＷＴによる通信チャネル情報の使用を必要とする。第一及び第二ページング信号が異なる時点で伝送される様々な実施例において第二ページング情報信号は第一ページング情報信号の伝送時間からオフセットされた第一の固定時間に伝送される。様々なＯＦＤＭの実施例において、第二ページング信号は第一ページング信号の伝送の完了の後の少なくとも２シンボル時間に伝送される。
【００９６】
動作はステップ１２１６からステップ１２０４に戻り、そこではＢＳは第一群におけるＷＴに伝送されるページング・メッセージを調べるために再び検査を行う。
【００９７】
いくつかの実施例において、多数のＷＴページング群が存在し、いくつかのＷＴ群は複数のＷＴを含むマルチキャスト群である。ステップ１２０４の検査は各々のページング群まで拡張される。第一ページング信号は第一群のＷＴにはＷＴに関してページング・メッセージが全くないことを示すが、第二群のＷＴには少なくとも一つのＷＴに関するページング・メッセージであることを示す。いくつかの実施例において、第一ページング信号はいずれのページング群がページング・メッセージを受取るメンバーを持つか、そして多数の第二ページング信号が存在し、例えば、一つが呼出しを受取るメンバーを持つ各第二ページング群に対応することを示す。
【００９８】
第一ページング信号が一群の通信デバイスを指示する様々な実施例において、多数の第二ページング信号が生成され、各メッセージは指示された群におけるいろいろなＷＴに対応する。そのような実施例において、伝送されるメッセージが対応する群メンバーに応じたオフセットを持つ第一ページング信号に関して異なる一定時間に第二ページング信号は伝送される。
【００９９】
図１３は本発明に従ってページング信号を受信し、および処理するために無線端末を動作させる典型的な方法を例示するフローチャート１３００の図である。動作は典型的なＷＴが動作の休眠モードにあるステップ１３０２において開始する。休眠モード、つまり稼働モードより低いＷＴ電力消費状態はいくつかのタイミング情報を保持し、および時折、例えば、定期的にそれが呼出されつつあるかどうかを検査する。動作は１３０４に進み、そこではＷＴは休眠動作モードから立上がり、および第一ページング信号を受信するために動作する。ＷＴ内のＢＳによるタイミング同期、及び時間トラッキングを維持するために使用される内部保持の時間情報はＷＴが立ち上がり、そしてＢＳからの第一形式のページング信号の伝送を予想するときをＷＴが決定することを可能にする。
【０１００】
次に、ステップ１３０６において、ＷＴは第一ページング信号を受取るために動作される。いくつかのＯＦＤＭの実施例において、第一ページング信号は４シンボル時間以下の継続期間を持つ。いくつかのＯＦＤＭの実施例において、第一ページング信号は１または２ＯＦＤＭシンボルである。次に、ステップ１３０８において、ＷＴは復調情報を造出する受信第一ページング信号に対して非同期復調動作を行うために動作される。この非同期復調動作はチャネル推定情報を必要とせず、通常は使用しない。動作はステップ１３０８からステップ１３１０へ進む。ステップ１３１０において、ＷＴはページング・メッセージが第一ページング信号の後で伝送されつつあることを前記復調情報が示すかどうかを判定するために動作される。次に、ステップ１３１２において、ページング・メッセージが伝送されつつあれば、動作はステップ１３１６へ進み、一方ページング・メッセージが伝送されつつなければ、動作はステップ１３１４へ進む。
【０１０１】
ステップ１３１６において、ＷＴは休眠モードに戻るために作動され、動作は連結ノードＡ １３３２を介してステップ１３０４へ戻り、そこではＷＴは次の第一ページング信号に関して適切な時間に再び立上げられる。
【０１０２】
ステップ１３１４において、ＷＴは、例えば、一時的に休眠動作モードに戻るために動作される。動作はステップ１３１４からステップ１３１８へ進み、そこでは無線端末は第二ページング信号を受取る前の別の時間に睡眠動作モードから立ち上がる。ＷＴは、チャネル推定の完了を可能にするため予想される第二ページング信号に先立って十分に立上がっている。そしてステップ１３２０において、ＷＴはチャネル推定動作を開始し、および行うために作動される。チャネル推定動作は、例えば、パイロット・シンボルを受信すること、受信パイロット・シンボル、例えば、１０〜２０パイロット・シンボルにＦＦＴを行うこと、そして処理情報からチャネル推定を決定することを含む。次に、ステップ１３２２において、ＷＴは第二ページング信号、例えば、少なくとも１０シンボルを含むページング信号を受信するために作動される。
【０１０３】
そしてステップ１３２４において、ＷＴはステップ１３２０において得られたチャネル推定情報を使用して第二ページング信号に同期復調動作を行う。第二ページング信号は第二の情報ビット数を含み、一方、第一ページング信号は第一の情報ビット数を含む。第一及び第二の情報ビット数は同じであってよい。しかしながら、多くの実施例において、第二のページング・ビット数は第一のページング・ビット数より大きい。いくつかの実施例において、復調第二ページング情報はＷＴ識別子の一部及び／またはページング・メッセージの一部を含む。いくつかの実施例において、ＷＴ識別子はページング・メッセージの全てまたは一部である。いくつかの実施例において、ページング・メッセージは移動体ノード情報、命令、または単に移動体ノード識別情報以外の追加情報を含む。
【０１０４】
ステップ１３２６において、第二ページング・メッセージの復号情報だけ、もしくは復号された第一ページング・メッセージとの組合せに基づいて、呼出しはＷＴ向けであったかどうかの判定が行われる。例えば、第一ページング信号は一群のＷＴを識別し、そして第二ページング情報はページメッセージが送られる特定もしくは唯一のＷＴを識別した。いくつかの実施例において、第二ページング信号の復調から得られた情報はＷＴ識別子の一部を含み、そしてその呼出しがＷＴに送られるならば、ステップ１３２６の動作は少なくともＷＴ識別子の一部から決定することを含む。いくつかの実施例において、第一ページングの群識別子と組み合わせて第二ページング・メッセージにおいて、提供されたＷＴ識別子の一部はページング・メッセージが伝送される通信システムにおいてＷＴを一意的に識別する。
【０１０５】
ステップ１３２６において、呼出しがＷＴ向けでなかったことが判定されれば、動作はステップ１３３０に進み、そこではＷＴは休眠動作モードに戻るために作動される。しかしながら、ステップ１３２６において、ＷＴがページメッセージの目的の受取人であることが判定されれば、動作はステップ１３２８へ進み、そこではＷＴは呼出しに応答する。そのような応答は、例えば、呼出しが受取られたことを認めること、ピア・ノードとの通信セッションを確立し、および参加し、そして最終的には休眠モードに移行する。
【０１０６】
ステップ１３３０あるいはステップ１３２８から、動作は連結ノードＡ１３３２を経由してステップ１３０４へ進み、そこではＷＴは適切な時間に別の第一ページング・メッセージのために立上がる。
【０１０７】
いくつかの実施例において、システムはある時点で前記システムにおいて呼出しを受取るために登録できる最大数のＷＴに対応し、第一ページング信号において通信される第一の情報ビット数はＷＴの前記最大数の各々に唯一要求されるビット数より少ない。そのような実施例において、第二ページング・メッセージにおける情報と組合わせて第一ページング・メッセージに含まれる情報はシステムにおいてＷＴを唯一識別することができる。
【０１０８】
主としてＯＦＤＭシステムについて述べられたが、本発明の方法及び装置は非ＯＦＤＭ及び／または非セルラ・システムを含む広範囲の通信システムに適用できる。
【０１０９】
様々な実施例において、ここに述べられたノードは本発明の一以上の方法、例えば、ページング・モジュール、変調モジュール、ページング信号検知モジュール、復調モジュール、通信モジュール、タイミング・モジュール、等々に対応するステップを行うために一以上のモジュールを使用して実施される。いくつかの実施例において、本発明の様々な特徴はモジュールを用いて実施される。そのようなモジュールはソフトウェア、ハードウェア、または、ソフトウェア及びハードウェアの組合せを使用して実施される。前述の方法もしくは方法ステップの多くは、例えば、一以上のノードにおいて前述の方法の全て一部を実施するため、マシン、例えば、追加のハードウェアを持つ、或いは持たない一般用途コンピュータを制御するため、メモリ・デバイス、例えば、ＲＡＭ、フロッピー（登録商標）ディスク、等々といったマシン可読媒体に含まれるソフトウェアなど、マシン実行可能な命令指示を用いて実施することができる。従って、とりわけ本発明はマシン、例えば、プロセッサ及び関連ハードウェアに上記の方法の一以上のステップを実行させるマシン実行可能な命令を含むマシン可読媒体に向けられる。
【０１１０】
上述の本発明の方法及び装置に関する多くのさらなる変形は本発明の上の記述をみれば当業者とって明白であろう。そのような変形は発明の範囲内で考察されることである。本発明の方法及び装置はＣＤＭＡ、直交周波数分割多重化（ＯＦＤＭ）、及び／または様々な他のタイプの通信技術 ( アクセス・ノードと移動体ノードとの間の無線通信回線を提供するために使用される他の様々な型式の通信技術)によって使用でき、および様々な実施例において使用されている。いくつかの実施例において、アクセス・ノードはＯＦＤＭ及び／またはＣＤＭＡを使用する移動体ノードとの通信回線を確立する基地局として実施される。様々な実施例において、移動体ノードは本発明の方法を実行するためにノート型パソコン、携帯情報端末（ＰＤＡ）、または受信機／送信機回路及び論理及び／またはルーチンを含む他の携帯機器として実施される。
【図１】
2011045108.tif 000003
【図２】
2011045108.tif 000004
【図３】
2011045108.tif 000005
【図４】
2011045108.tif 000006
【図５】
2011045108.tif 000007
【図６】
2011045108.tif 000008
【図７】
2011045108.tif 000009
【図８】
2011045108.tif 000010
【図９】
2011045108.tif 000011
【図１０】
2011045108.tif 000012
【図１１】
2011045108.tif 000013
【図１２】
2011045108.tif 000014
【図１３】
2011045108.tif 000015
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
多数の無線端末を含む通信システムにおいて無線端末をページングする方法であって、
第一変調形式を用いて、第一ページング信号を生成するために第一の情報ビット数を変調することであって、前記第一ページング信号は前記第一の情報ビット数を搬送し、前記第一ページング信号はページング・メッセージがあるかどうかを示す情報を含み、
第二変調形式を用いて、第二ページング信号を生成するために第二の情報ビット数を変調することであって、前記第二変調形式は前記第一変調形式とは異なり、ページングメッセージがあることを前記第一ページング信号が示すとき、前記第二ページング信号が前記ページング・メッセージの少なくとも一部を含み、
前記第一ページング信号を伝送すること、及び
前記第二ページング信号を伝送することを含む方法。
【請求項２】
前記第一及び第二の情報ビット数は異なり、前記第二の情報ビット数は前記第一の情報ビット数より大きい、請求項１記載の方法。
【請求項３】
前記第一ページング信号は継続期間が４シンボル時間より少ない時間期間に伝送され、前記第二ページング信号は前記第一ページング信号の伝送の完了後少なくとも２シンボル時間伝送され、そしてシンボル時間はシンボルを伝送するために使用される時間期間に対応する、請求項２記載の方法。
【請求項４】
前記第一の情報ビット数は１である、請求項１記載の方法。
【請求項５】
前記第一ページング信号は、多数の無線端末を含む無線端末群に少なくとも一つの無線端末に関するページング・メッセージがあるかどうかを示す、請求項１記載の方法。
【請求項６】
前記第二変調形式は、前記第二変調形式によって変調された情報を復調するために通信チャネル情報の使用を必要とする、請求項５記載の方法。
【請求項７】
前記第一及び第二ページング信号を伝送する前記ステップを定期的に繰返すことをさらに含む、請求項６記載の方法。
【請求項８】
前記第一ページング信号は、無線端末群に少なくとも一つの無線端末に関するページング・メッセージがあるかどうかを示し、そして前記無線端末群は複数の無線端末群の一つであり、前記複数の無線端末のいくつかは複数の無線端末を含むマルチキャスト群である、請求項１記載の方法。
【請求項９】
前記第一変調形式は非同期変調である、請求項１記載の方法。
【請求項１０】
前記第二変調形式は同期変調である、請求項１記載の方法。
【請求項１１】
前記非同期変調形式はオン／オフ変調、直交変調、及び差分変調の一つである、請求項９記載の方法。
【請求項１２】
前記第二変調形式は直角位相偏移キーイング変調及び直角振幅変調の一つである、請求項１０記載の方法。
【請求項１３】
前記第一及び第二ページング情報信号は異なる時点で伝送され、前記第二ページング情報信号は前記第一ページング情報信号が伝送される時間からオフセットされた第一の固定時間に伝送される、請求項１記載の方法。
【請求項１４】
前記第二ページング情報信号は前記システムにおける無線端末を識別するために使用される情報を含む、請求項１３記載の方法。
【請求項１５】
前記第二ページング信号は一群の無線端末内の無線端末を一意的に識別するのに十分な情報を含む、請求項１４記載の方法。
【請求項１６】
前記第一信号は第一群の無線端末の任意の無線端末に関するページング・メッセージが全くないが、第二群の無線端末の少なくとも一つの無線端末に関するページング・メッセージがあることを示す、請求項１記載の方法。
【請求項１７】
前記システムはある時点に前記システムにおいて呼出し（pages）を受取るために登録できる最大数の無線端末に対応し、そして
第一のビット数は前記最大数の無線端末の各々を一意的に識別するために必要とされるビット数より少ない、請求項１記載の方法。
【請求項１８】
前記第二ページング・メッセージに含まれる情報と組合せて、前記第一ページング・メッセージに含まれる情報は、前記システムにおける無線端末を一意的に識別する、請求項１記載の方法。
【請求項１９】
前記第一ページング信号を伝送することは前記第一ページング信号を通信チャネルに伝送することを含み、そして
前記第一変調形式は前記変調情報を復調するために使用される通信チャネル情報を必要としない変調形式である、請求項１記載の方法。  
【請求項２０】
前記第一ページング信号は一群の通信デバイスを示し、前記第二ページング信号は、ページング・メッセージが向けられる通信デバイス群における特定ページング・デバイスを示す、請求項１記載の方法。
【請求項２１】
無線端末と通信するための基地局であって、
非同期変調方法を用いて第一形式のページング信号を定期的に生成するための第一ページング信号形式生成手段であって、前記第一形式のページング信号はページング・メッセージが一群の無線端末の少なくとも一つの無線端末に伝送られるかどうかを示す手段と、
同期変調方法を用いて第二形式のページング信号を生成する手段であって、前記第二形式のページング信号がページング・メッセージの少なくとも一部を含む手段と、及び
前記第一及び第二形式ページング信号を伝送するための手段とを具備する基地局。
【請求項２２】
前記第一ページング信号形式生成手段は第一形式のページング信号を生成し、前記第一形式ページング信号は第一の情報ビット数を含み、そして
前記第二ページング信号形式生成手段は第二形式のページング信号を生成し、前記第二形式ページング信号は第二の情報ビット数を含み、前記第二の情報ビット数は前記第一の情報ビット数より大きい、請求項２１記載の基地局。
【請求項２３】
前記第一ページング信号形式生成手段は、
オン／オフ変調、直交変調、及び差分変調の一つを使用して情報ビットを変調するための第一変調モジュールを具備する、請求項２２記載の基地局。
【請求項２４】
前記第二ページング信号形式生成手段は、
直角位相偏移キーイング変調及び直角振幅変調の一つを使用して情報ビットを変調するための第二変調モジュールを具備する、請求項２２記載の基地局。
【外国語明細書】
2011045108000001.pdf